(57)【要約】【課題】複数の機器本体間でも音声通話が可能な秘話性を有する音声通話システムを提供する。【解決手段】音声通話可能の通話装置本体およびブルートゥースユニットをそれぞれ備えた複数の通話装置２ａ〜２ｅと、複数の機器本体１１Ａ，１１Ｂを介してこれらの通話装置同士で音声通話するときに、その音声通話要求を行う機器本体１１Ａの通話装置に音声通話可能に無線接続されるマスタ１３ａ以外の他方のマスタ１３ｂをスレーブにロールチェンジし、このスレーブを、音声通話要求相手先の機器本体１１Ｂの通話装置に音声通話可能に無線接続されているマスタ１３ｃ以外の他方のマスタ１３ｄに無線接続することにより、これら機器本体１１Ａ，１１Ｂ間を音声通話可能に無線接続する機器本体間通信手段の第１，第２ホストコントローラ１７ａ，１７ｂ機器本体にそれぞれ設けた。【選択図】　図２
2004120019.tif 000002
【特許請求の範囲】
【請求項１】
音声通話可能の通話ユニットおよびこの通話ユニットの音声信号を無線で送受信し、音声通話時にスレーブに設定されるブルートゥースユニットをそれぞれ備えた複数の通話装置と、
これら複数の通話装置のブルートゥースユニットとの間で各々無線通信し音声通話時にマスタに設定される複数のブルートゥースユニットおよび上記複数の通話装置同士間の音声通話時に、上記マスタの一方で受信した上記一方のスレーブからの音声信号を他方のマスタにフォワーディングさせて他方のスレーブに送信させ、これらスレーブ間を音声通話可能に無線接続するフォワーディング手段をそれぞれ備えた複数の機器本体と、を具備したことを特徴とする音声通話システム。
【請求項２】
上記複数の機器本体を介してこれらの通話装置同士で音声通話するときに、その音声通話要求を行う上記機器本体の通話装置と音声通話可能に無線接続される上記マスタ以外の他方のマスタをスレーブにロールチェンジし、このスレーブを、音声通話要求相手先の上記機器本体の通話装置と音声通話可能に無線接続されている上記マスタ以外の他方のマスタに無線接続することにより、これら機器本体間を音声通話可能に無線接続する通信手段を、
上記機器本体にそれぞれ設けたことを特徴とする請求項１記載の音声通話システム。
【請求項３】
上記複数の機器本体間の音声通話時に、音声通話要求を行う上記機器本体に上記通話装置として備えた携帯電話器の接続先を、音声通話を要求している上記通話装置と無線接続されている上記マスタに、着信信号受信可能に無線接続するように切り替える一方、携帯電話器に着信があった場合には、音声通話を要求している上記通話装置を、上記音声通話要求を行う上記機器本体の通話装置と音声通話可能に無線接続されるマスタ以外の他方のマスタと無線接続するように切り替える接続機器切替機能を備えている通信手段を、
上記機器本体にそれぞれ設けたことを特徴とする請求項１記載の音声通話システム。
【請求項４】
上記複数の機器本体を介してこれらの通話装置同士で音声通話するときに、その音声通話要求を行う上記機器本体の通話装置と音声通話可能に無線接続される上記マスタ以外の他方のマスタを、音声通話要求相手先の上記機器本体の通話装置と音声通話可能に無線接続されている上記マスタ以外の他方のマスタとスレーブが時分割で交互に切り替わるブルートゥースユニットのスレーブ時のブルートゥースユニットに無線接続することにより、これら機器本体間を音声通話可能に無線接続する通信手段を、
上記機器本体にそれぞれ設けたことを特徴とする請求項１記載の音声通話システム。
【請求項５】
上記複数の機器本体を介してこれらの通話装置同士で音声通話するときに、その音声通話要求を行う上記機器本体の接続用ブルートゥースユニットを音声通話要求相手先の上記機器本体の接続用ブルートゥースユニットに無線接続することにより、これら機器本体間を音声通話可能に無線接続する通信手段を、
上記機器本体にそれぞれ設けたことを特徴とする請求項１記載の音声通話システム音声通話システム。
【請求項６】
上記複数の機器本体を介してこれらの通話装置同士により音声通話するときに、その音声通話要求を行う上記機器本体は、音声通話要求相手先の上記機器本体に音声通話接続要求信号、または、音声通話接続信号を出力する一方、その音声通話要求相手先の上記機器本体は音声通話接続要求信号、または、音声通話接続信号を受信したときに、接続要求の通知を行い、さらに、音声通話要求を行う上記機器本体と音声通話可能に無線接続すると共に、音声通話要求相手先の上記通話装置と音声通話可能な無線接続された上記マスタと音声通話可能に接続されて上記複数の機器本体間を音声通話可能に無線接続することを特徴とする請求項１，２，３，４記載の音声通話システム。
【請求項７】
上記通信手段は、上記機器本体の複数のマスタを制御するホストコントローラに配設されていることを特徴とする請求項２，３，４記載の音声通話システム。
【発明の詳細な説明】
【０００１】
【発明の属する技術分野】
本発明は、音声通話システムに係り、特に、複数の装置にそれぞれ搭載されたＢＴ（Ｂｌｕｅｔｏｏｔｈ：ブルートゥースの略称）搭載機器である複数の機器本体間で音声通話することができる音声通話システムに関する。
【０００２】
【従来の技術】
近年、近距離無線通信用規格の一つとしてＢｌｕｅｔｏｏｔｈ（ブルートゥース：商標）が注目されている。このブルートゥースはＩＳＭ（Ｉｎｄｕｓｔｒｉａｌ　Ｓｃｉｅｎｔｉｆｉｃ　ａｎｄ　Ｍｅｄｉｃａｌ）帯といわれる２．４ＧＨの周波数帯を利用した周波数ホッピング型のスペクトラム拡散通信方式を採用しており、携帯電話器やパーソナルコンピュータ等の端末同士を近距離間で無線接続することが可能である。
【０００３】
本願出願人はこのブルートゥースを利用した音声通話システムを既に特許出願（特願２００２−１７６２４７号、例えば特許文献１参照）済である。
【０００４】
この特許出願に係る音声通話システムは、まだ公知ではなく、ブルートゥース通信のスレーブとして設定されたブルートゥースユニット（以下ＢＴユニットという）を搭載した頭部装着等のヘッドセットや携帯電話、ＰＨＳ等の複数の通話装置と、これら複数の通話装置間で音声通話できるようにこれら通話装置のＢＴユニット同士を無線接続するためにマスタとして設定された２個のＢＴユニットを搭載した、いわゆるＢＴユニットデュアル搭載方式の機器本体と、を具備しており、この機器本体を介して複数の通話装置間で音声通話し、または音楽配信し得るように構成されている。
【０００５】
【特許文献１】
特願２００２−１７６２４７号公報
【０００６】
【発明が解決しようとする課題】
しかしながら、このような音声通話システムは、その１台の機器本体にそれぞれ無線接続された複数の通話装置同士間で音声通話することができるように構成されており、複数の機器本体の各通話装置間でも音声通話することができる機能は具備されていない。
【０００７】
したがって、複数の装置にそれぞれ搭載された機器本体の各々の通話装置間、すなわち機器本体間では音声通話することができない。
【０００８】
しかし、この種の音声システムがやがて普及してくれば、複数の機器本体間での音声通話の要請も増大すると思われる。
【０００９】
一方、現在では、２者間で音声通話を行う場合には、携帯電話器やアマチュア無線、トランシーバ等が使用されている。しかし、携帯電話器では通信機が有料であり、アマチュア無線やトランシーバでは秘話性が無いという課題がある。
【００１０】
本発明はこのような事情を考慮してなされたもので、その目的は、複数の機器本体間でも音声通話が可能な秘話性を有する音声通話システムを提供することにある。
【００１１】
【課題を解決するための手段】
本発明は上記目的を解決するために次のように構成される。
【００１２】
すなわち本願請求項１に係る発明は、音声通話可能の通話ユニットおよびこの通話ユニットの音声信号を無線で送受信し、音声通話時にスレーブに設定されるブルートゥースユニットをそれぞれ備えた複数の通話装置と、これら複数の通話装置のブルートゥースユニットとの間で各々無線通信し音声通話時にマスタに設定される複数のブルートゥースユニットおよび上記複数の通話装置同士間の音声通話時に、上記マスタの一方で受信した上記一方のスレーブからの音声信号を他方のマスタにフォワーディングさせて他方のスレーブに送信させ、これらスレーブ間を音声通話可能に無線接続するフォワーディング手段をそれぞれ備えた複数の機器本体と、を具備したことを特徴とする音声通話システムである。
【００１３】
本願請求項２に係る発明は、上記複数の機器本体を介してこれらの通話装置同士で音声通話するときに、その音声通話要求を行う上記機器本体の通話装置と音声通話可能に無線接続される上記マスタ以外の他方のマスタをスレーブにロールチェンジし、このスレーブを、音声通話要求相手先の上記機器本体の通話装置と音声通話可能に無線接続されている上記マスタ以外の他方のマスタに無線接続することにより、これら機器本体間を音声通話可能に無線接続する通信手段を、上記機器本体にそれぞれ設けたことを特徴とする請求項１記載の音声通話システムである。
【００１４】
本願請求項３に係る発明は、上記複数の機器本体間の音声通話時に、音声通話要求を行う上記機器本体に上記通話装置として備えた携帯電話器の接続先を、音声通話を要求している上記通話装置と無線接続されている上記マスタに、着信信号受信可能に無線接続するように切り替える一方、携帯電話器に着信があった場合には、音声通話を要求している上記通話装置を、上記音声通話要求を行う上記機器本体の通話装置と音声通話可能に無線接続されるマスタ以外の他方のマスタと無線接続するように切り替える接続機器切替機能を備えている通信手段を、上記機器本体にそれぞれ設けたことを特徴とする請求項１記載の音声通話システムである。
【００１５】
本願請求項４に係る発明は、上記複数の機器本体を介してこれらの通話装置同士で音声通話するときに、その音声通話要求を行う上記機器本体の通話装置と音声通話可能に無線接続される上記マスタ以外の他方のマスタを、音声通話要求相手先の上記機器本体の通話装置と音声通話可能に無線接続されている上記マスタ以外の他方のマスタとスレーブが時分割で交互に切り替わるブルートゥースユニットのスレーブ時のブルートゥースユニットに無線接続することにより、これら機器本体間を音声通話可能に無線接続する通信手段を、上記機器本体にそれぞれ設けたことを特徴とする請求項１記載の音声通話システムである。
【００１６】
本願請求項５に係る発明は、上記複数の機器本体を介してこれらの通話装置同士で音声通話するときに、その音声通話要求を行う上記機器本体の接続用ブルートゥースユニットを音声通話要求相手先の上記機器本体の接続用ブルートゥースユニットに無線接続することにより、これら機器本体間を音声通話可能に無線接続する通信手段を、上記機器本体にそれぞれ設けたことを特徴とする請求項１記載の音声通話システム音声通話システムである。
【００１７】
本願請求項６に係る発明は、上記複数の機器本体を介してこれらの通話装置同士により音声通話するときに、その音声通話要求を行う上記機器本体は、音声通話要求相手先の上記機器本体に音声通話接続要求信号、または、音声通話接続信号を出力する一方、その音声通話要求相手先の上記機器本体は音声通話接続要求信号、または、音声通話接続信号を受信したときに、接続要求の通知を行い、さらに、音声通話要求を行う上記機器本体と音声通話可能に無線接続すると共に、音声通話要求相手先の上記通話装置と音声通話可能な無線接続された上記マスタと音声通話可能に接続されて上記複数の機器本体間を音声通話可能に無線接続することを特徴とする請求項１，２，３，４記載の音声通話システムである。
【００１８】
本願請求項７に係る発明は、上記通信手段は、上記機器本体の複数のマスタを制御するホストコントローラに配設されていることを特徴とする請求項２，３，４記載の音声通話システムである。
【００１９】
【発明の実施の形態】
以下、本発明の実施形態を図１〜図２４に基づいて説明する。なお、これらの図中、同一または相当部分には同一符号を付している。
【００２０】
図２は本発明の第１の実施形態に係る音声通話システム１の全体構成を示す機能ブロック図である。この図２（Ａ）に示すように音声通話システム１は複数台の機器本体であるＢＴ搭載機器１１Ａ，１１Ｂ，…，１１Ｎを具備している。これら各ＢＴ搭載機器１１Ａ〜１１Ｎは例えば自動二輪車や自動四輪車等車両にそれぞれ搭載され、図１にも示すように複数台の通話装置２ａ，２ｂ，２ｃ，２ｄ，２ｅと、これら通話装置２ａ〜２ｅ間でブルートゥース（以下ＢＴという）の無線通信により音声通話させるために本体ケース１２内に内蔵された２個一対のＢＴユニット１３ａ，１３ｂを備えている。これら２個一対のＢＴユニット１３ａ，１３ｂは後述するフォワード伝送路により相互に接続されるデュアルＢＴ方式に構成されている。
【００２１】
各通話装置２ａ〜２ｅは、例えば通話者が使用する例えば頭部装置型でマイクとスピーカ等を備えたヘッドセットや携帯電話器、ＰＨＳ（Ｐｅｒｓｏｎａｌ　Ｈａｎｄｙ−ｐｈｏｎｅ　Ｓｙｓｔｅｍ）、ＰＤＡ（Ｐｅｒｓｏｎａｌ　Ｄｉｇｉｔａｌ　Ａｓｓｉｓｔａｎｔ：個人用携帯情報端末）等の携帯情報端末等の情報端末により構成され、音声通話可能の通話装置本体３と、ＢＴユニット（ＢＴモジュール）４をそれぞれ備えている。通話装置本体３は図示しない電源、制御回路、表示器、スピーカ／マイクロホン、操作部、無線通信系等、音声を無線通信し得る基本的構成を備えており、通話者の音声を可逆的に電気信号に変換する変換器の出力側を各ＢＴユニット４の音声信号入出力側に接続し、各ＢＴユニット４からの音声信号を通話装置本体３により音声に変換する一方、通話装置本体３に入力された音声を電気信号に変換して各ＢＴユニット４ａ，４ｂに与えるようになっている。
【００２２】
各ＢＴユニット４は２．４ＧＨｚ帯域用のチップアンテナ等からなるＢＴアンテナ５と、２．４ＧＨｚ帯域で周波数ホッピングするために周波数を上下させる図示しないＲＦ回路と、周波数ホッピング型のスペクトル拡散通信方式によりパケット無線通信を行なう図示しないベース・バンド（ＢＢ）と、その通信方式のプロトコルを記録したフラッシュメモリやＥＥＰＲＯＭ等のＲＯＭと、図示しないＣＶＳＤ（Ｃｏｎｔｉｎｕｏｕｓ　Ｖａｒｉａｂｌｅ　Ｓｌｏｐｅ　Ｄｅｌｔａ　ｍｏｄｕｌａｔｉｏｎ）−ＣＯＤＥＣ（ＣＯＤＥ／ＤＥＣＯＤＥ）と、をそれぞれ備えている。このＣＶＳＤ−ＣＯＤＥＣはソフトウェアにより音声信号を可逆的にＡ／Ｄ変換するＡ／Ｄ，Ｄ／Ａ変換器である。また、これらＲＦ回路、ベース・バンド、ＲＯＭ、ＣＶＳＤ−ＣＯＤＥＣは例えば１チップ化される場合がある。
【００２３】
このＢＴユニット４は２．４ＧＨｚ帯（２．４０２ＧＨｚ〜２．４８０ＧＨｚ）において通信帯域幅が１ＭＨｚの１通信チャネル（ｃｈ）を７９チャネル（中心周波数ｆ（ｋ）＝２４０２＋ｋ（ＭＨｚ）（ｋ＝０、１、２、…、７８）使用し、これらチャネルを所定時間（例えば６２５μｓ）のタイム・スロット毎にランダムにホッピング（変化）させる。すなわち、１秒間に１６００回チャネルを切り替えて無線通信するものである。
【００２４】
このＢＴでは、端末（通信機器）群による１対多（「マスタ（Ｍａｓｔｅｒ）」対「スレーブ（Ｓｌａｖｅ）」）通信のトポロジー構成が採用される。この構成では、マスタとして機能する１台の端末に対しスレーブとして機能する最大７台の端末が同時に接続可能なピコネットと呼ばれるグループが形成される。このピコネット内では、マスタ側で決められる周波数ホッピング・パターンに同期して、マスタ側の端末とスレーブ側の端末との間で６２５μｓのタイム・スロット毎に送信と受信を相互に繰り返すことにより双方向の通信が行なわれる。
【００２５】
また、スキャッタネット機能を使用することで、２つのピコネット（例えばピコネット１とピコネット２）に時分割に参加し、マスタとスレーブに交互に機能することができる。
【００２６】
このＢＴによる通信は、その規格（ＢＴの技術仕様）上、マスタ対スレーブ間で通信するように定義されており、スレーブ同士間（スレーブ対スレーブ）の直接通信はできないように定義されている。
【００２７】
この場合のマスタ側の端末およびスレーブ側の端末間では、回線交換型のＳＣＯ（Ｓｙｎｃｈｒｏｎｏｕｓ　Ｃｏｎｎｅｃｔｉｏｎ　Ｏｒｉｅｎｔｅｄ：同期接続型）リンクと、非同期パケット通信型のＡＣＬ（Ａｓｙｎｃｈｒｏｎｏｕｓ　Ｃｏｎｎｅｃｔｉｏｎ　Ｌｅｓｓ：非同期接続型）リンクとの２つの接続リンクが規定される。例えば、ＳＣＯリンクは音声のようにリアルタイム性が必要なデータに、またＡＣＬリンクは一般的なデータにそれぞれ使用され、音声通話はＡＣＬリンクにより接続されて、パケット通信の同期がとれた後にＳＣＯリンクが接続されることにより可能となる。
【００２８】
このＢＴでは、その状態遷移として、電源を入れた直後又は通信リンク切断後の待ち受けフェーズから、マスタおよびスレーブ間の同期確立フェーズ（問い合わせ（Ｉｎｑｕｉｒｙ）、呼び出し（Ｐａｇｅ））およびその通信接続フェーズ（接続、データ転送）を経る。さらに消費電力を抑えるために低消費電力モードへ移行させることもある。この内、低消費電力モードには、パーク・モード（Ｐａｒｋ　Ｍｏｄｅ）、ホールド・モード（Ｈｏｌｄ　Ｍｏｄｅ）、およびスニフ・モード（Ｓｎｉｆｆ　Ｍｏｄｅ）の３つが規定され、その規定上、スレーブ側は３つのモード全てに、またマスタ側はホールド・モードのみに遷移できるようにサポートされている。
【００２９】
一方、ＢＴ搭載機器１１Ａ〜１１Ｎは、例えばＢＴを含む各種通信プロトコル変換を担う通信装置（中継器）としてのゲートウェイ装置、ＰＣおよび自動二輪車や自動四輪車等の車両に搭載可能なＢＴ搭載機器として適用可能なものである。このＢＴ搭載機器１１Ａ〜１１Ｎには、スレーブに設定されている各通話装置２ａ〜２ｅに対してマスタとしてＢＴ通信する２個一対の第１，第２ＢＴユニット（マスタ）１３ａ，１３ｂと、これらの各ＢＴアンテナ１４ａ，１４ｂと、外部電源１５からの電圧を内部電源用電圧に変換（降圧）して本体ケース１２内の各電気部品に供給する電源部１６と、ＣＰＵコア１７ａ，フラッシュＲＯＭ、ＥＥＰＲＯＭ等のＲＯＭを有し、ＢＴユニット（マスタ）を含む各ＢＴ搭載機器１１Ａ〜１１Ｎの全体を制御するホストコントローラ１７と、このホストコントローラ１７に接続されるＩ（Ｉｎｐｕｔ）／Ｏ（Ｏｕｔｐｕｔ）コントローラ１８と、このＩ／Ｏコントローラ１８にそれぞれ接続されるＳＲＡＭ１９、表示器２０およびスイッチ操作部２１とをそれぞれ設けている。
【００３０】
上記２個のＢＴユニット１３ａ，１３ｂには、通話装置２ａ〜２ｅにそれぞれ搭載された各ＢＴユニット４と同様に、そのハードウェア構成上、２．４ＧＨｚ帯域用のＢＴアンテナ１４ａ，１４ｂのほか、図示しない２．４ＧＨｚ帯域をサポートする周波数ホッピング型のスペクトル拡散通信用のとしてのＲＦチップや、ＲＦトランシーバとの間でベース・バンド（ＢＢ）信号の送受信を制御するリンクコントローラとしてのベース・バンド（ＢＢ）、ＣＶＳＤ−ＣＯＤＥＣを備えており、これらＲＦ回路、ベース・バンド（ＢＢ）、ＣＶＳＤ−ＣＯＤＥＣを例えば１チップにより構成する場合もある。
【００３１】
ＢＴアンテナ１４ａ，１４ｂは、本体ケース１２内にて２個のＢＴユニット１３ａ，１３ｂに個別に取り付けられる。これら２個のＢＴアンテナ１４ａ，１４ｂの取付位置は、本体ケース１２の設置場所、その筐体形状・寸法等に応じて、相互の電波干渉を低減し得る適切な距離を離間させた適宜位置に設定される。
【００３２】
上記スイッチ操作部２１は通話者１と通話者２の２者間の機器本体１つを介した音声通話、異なる機器本体にＢＴにより無線接続された２者の通話者の機器本体同士を介した音声通話、通話者が携帯電話器を持たずに手放しで音声通話をするＨＦ（ハンズフリー）音声通話等を切り替える外付け等のスイッチである。これら通話相手先の通話装置は予めスイッチ操作部２１を所要の登録手順に従って操作することにより登録しておき、その登録された機器本体同士を介した音声通話モードの例えばボタンスイッチを押すことにより例えば２機器本体間で音声通話する音声通話モードを適宜選択し得るように構成されている。
【００３３】
さらに、スイッチ操作部２１には、アプリケーション（後述するＢＴ用のスタックで定義される各プロファイルに相当するプログラム等）の切り替え、音量調整、電源オン／オフ等の各種操作に必要な操作器（操作ボタン、操作スイッチ等）のほか、必要に応じて現在のステータスを表示するＬＥＤ（液晶やＶＦＤ（Ｖａｃｕｕｍ　Ｆｌｕｏｒｅｓｃｅｎｔ　Ｄｉｓｐｌａｙ）でもよい）が搭載される。
【００３４】
また、第１のホストコントローラ１７のＨＣＩ（Ｈｏｓｔ　Ｃｏｎｔｒｏｌｌｅｒ　Ｉｎｔｅｒｆａｃｅ）ポート２３ａにはＵＡＲＴ（Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ）等のインターフェースを介して上記両ＢＴユニット１３ａ，１３ｂがそれぞれ接続されている。さらに、これら両ＢＴユニット１３ａ，１３ｂのそれぞれの音声ＰＣＭ（Ｐｕｌｓｅ　Ｃｏｄｅ　Ｍｏｄｕｌａｔｉｏｎ）信号用入力および出力端子（ポート）には第１，第２ＢＴユニット１３ａ，１３ｂ同士をフォワード伝送路により通信自在に接続するフォワーディング（Ｆｏｒｗａｒｄｉｎｇ）機能とそのフォワーディング機能を使用せずにスルーする機能とを切り替える切り替えスイッチ２２と、この切り替えスイッチ２２とそれぞれ個別に接続される音声ＰＣＭ信号／音声アナログ信号変換用のＰＣＭコーデック（ＣＯＤＥＣ：ＣＯＤＥ／ＤＥＣＯＤＥ）２３ａ，２３ｂと、をそれぞれ配設している。
【００３５】
各ＰＣＭコーデック２３ａ，２３ｂの入力および出力端子には、それぞれアンプ２４ａ，２４ｂ（それぞれ入力側アンプ２５および出力側アンプ２６から構成されている）を介して音声入出力デバイス２７ａ，２７ｂ接続している。これら音声入出力デバイス２７ａ，２７ｂはスピーカ２８およびマイクロホン２９をそれぞれ備えている。
【００３６】
上記第１ホストコントローラ１７は、本体ケース１２内の各種設定条件を電源オフ状態でも記憶するようにＲＯＭ１７ｃもしくは外付けＲＯＭ３０上の所定領域に格納し、電源オン状態時にそのＲＯＭ１７ｃ、もしくは外付けＲＯＭ３０上の格納データを元にＢＴ搭載機器１１Ａ〜１１Ｎ内の各部を同一の設定条件に設定すると共に、ＲＯＭ１７ｃもしくは外付けＲＯＭ３０上の所定領域に予め記憶された各種プログラムに基づく処理を、ＲＡＭ１７ｄ、もしくはＳＲＡＭ１９上の所定領域をそのワークエリアとして用いて実行する。これにより、このホストコントローラ１７は、その処理結果に基づいて本体ケース１２内の各部動作を制御したり、その処理結果をＩ／Ｏコントローラ１８を介して表示器２０、スイッチ操作部２１のＬＥＤ（図示しない）に表示させる。
【００３７】
このホストコントローラ１７が実行すべき各種プログラムの内、ＲＯＭ１７ｃ、もしくは外付けＲＯＭ３０上に実装されるＢＴのプロトコル・スタックに基づくアプリケーション（ＢＴの各プロファイル）の種類としては、通話装置２ａ〜２ｅの機種（例えばヘッドセット、携帯電話器等）やその利用シーン等に応じて「ヘッドセット・プロファイル（ＨＳ：Ｈｅａｄｓｅｔ　Ｐｒｏｆｉｌｅ）」や携帯電話器を持たずに手放しで通話する「ハンズフリー・プロファイル（ＨＦ：Ｈａｎｄｓ　Ｆｒｅｅ　Ｐｒｏｆｉｌｅ）」等の必要なプロファイルが例示される。
【００３８】
この場合、ホストコントローラ１７は、スイッチ操作部２１での入力操作に応じた命令をＩ／Ｏコントローラ１８を介して受けると、その命令を解読しかつ命令に従ってＢＴ用の各アプリケーション（各プロファイル：ＨＳ、ＨＦ）の切り替え、すなわち、通話相手先の切り替えを行い、そのアプリケーションに従って本体ケース１２内の各部に対し第１，第２ＢＴユニット１３ａ，１３ｂを介して所定の利用モードに応じた動作を実行させる。
【００３９】
そして、ホストコントローラ１７は第１，第２ＢＴ搭載機器１１Ａ，１１Ｂの第１，第２ＢＴユニット１３ａ，１３ｂ，１３ａ，１３ｂのベース・バンドを制御することにより、これら第１，第２ＢＴユニット１３ａ，１３ｂと各通話装置２ａ〜２ｅとをＡＣＬリンク、またはＳＣＯリンクにより無線接続することができる機能を具備している。
【００４０】
また、ホストコントローラ１７はスイッチ操作部２１の操作に応じて切替スイッチ２８を切り替えることにより第１，第２ＢＴユニット１３ａ，１３ｂ同士をフォワード伝送路により接続するフォワードモードとそのフォワード機能をスルーさせるスルーモードとを切り替えるモード選択機能を備えている。
【００４１】
さらに、ホストコントローラ１７には機器本体間通信手段を設けている。この機器本体間通信手段は複数台の自動二輪車や自動四輪車等の車両、または、ＰＣなどにそれぞれ搭載された例えば２台のＢＴ搭載機器１１Ａと１１Ｂの各通話装置２ａ〜２ｅ同士間で音声通話させるために、これらＢＴ搭載機器１１Ａ，１１Ｂの両第１，第２ＢＴユニット１３ａ，１３ｂの動作を所定のシーケンスに従って制御するものであり、その制御シーケンスはコンピュータプログラムとして予めホストコントローラ１７のＲＯＭ１７ｂに保存されている。
【００４２】
なお、図２〜図２４中、第２のＢＴ搭載機器１１Ｂの第１ＢＴユニット１３ａおよび第２ＢＴユニット１３ｂとを、第１のＢＴ搭載機器１１Ａの第１ＢＴユニット１３ａおよび第２ＢＴユニット１３ｂと区別するために、以下ではそれぞれ１３ｃ，１３ｄに変更している。また、第１，第２ＢＴ搭載機器１１Ｂの各ホストコントローラ１７，１７についてもこれら同士を区別するために以下、第１，第２ホストコントローラ１７ａ，１７ｂと称する。さらに、図中「ＨＳ：ＡＧ」とはヘッドセット・プロファイルがＡＧモードで動作することを示し、ＡＧ（Ａｕｄｉｏ　Ｇａｔｅ　Ｗａｙ）は音声を出力するサーバ側であることを示している。さらに、「ＨＦ：ＨＦ」はハンズフリーが可能な携帯電話器のハンズフリー・プロファイル（ＨＦ）がハンズフリー（ＨＦ）モードで動作することを示し、携帯電話器２ｄ，２ｅからのハンズフリー機能要求が受信可能な状態を示している。また、「ＨＳ：ＨＳ」はヘッドセット・プロファイルをヘッドセット・モードで使用することを示しており、「Ｓｌａｖｅ」（スレーブ）は「Ｍａｓｔｅｒ」（マスタ）と通信可能であることを示しており、ＢＴユニット１３ｂがスレーブであるときには、スレーブの各通話装置２ａ〜２ｅとはＳＣＯリンクを張る（接続する）ことができず、音声通話できない状態を示している。
【００４３】
また、図２〜図２４中、ＢＴ搭載機器Ａ，Ｂは例えば第１，第２両ＢＴ搭載機器１１Ａ，１１Ｂをそれぞれ示し、機器本体同士を介した音声通話とは各ＢＴ搭載機器１１Ａ〜１１Ｎのいずれかをそれぞれ搭載した例えば２台のＰＣや車両であって、ＢＴ通信が可能の近距離で互いに同行している２台のＰＣや車両の通話者１が各々の通信装置２ａにより互いに機器本体同士を介した音声通話している状態を示している。
【００４４】
上記機器本体同士を介した音声通話を行なうための制御シーケンスは、次に示すように第１〜第４の４種類ある。
【００４５】
まず、第１の制御シーケンスは図２〜図６の各（Ｂ）で示すように音声通話要求を行う通話装置、例えば通話者１の通話装置２ａに無線接続される第１のＢＴユニット１３ａ以外のマスタである第２のＢＴユニット１３ｂを、マスタからスレーブにロールチェンジし、ヘッドセット・プロファイルもＡＧモードからヘッドセット・モードに変更することにより、異なる第２ＢＴ搭載機器１１Ｂのマスタの第２ＢＴユニット１３ｄ側の制御によりＢＴ無線接続するシーケンスである。ここで第２ＢＴ搭載機器１１Ｂの第２ＢＴユニット１３ｄは上記音声通話要求相手先の通話者１の通話装置２ａに無線接続される第１ＢＴユニット１３ｂ以外のマスタである。
【００４６】
しかしながら、後述するようにこの第１の制御シーケンスでは、その機器本体同士を介した音声通話時に、その音声通話要求を行う第１ＢＴ搭載機器１１Ａのスレーブの第２ＢＴユニット１３ｂとスレーブの携帯電話器２ｄ，２ｅと、そのＡＣＬ接続をも切断してしまうので、その間、携帯電話器２ｄ，２ｅはその着信信号も受信することができなくなるという不都合がある。
【００４７】
そこで、第２の制御シーケンスは図７〜図１２の各（Ｂ）に示すように上記第１の制御シーケンスによる機器本体同士を介した音声通話時、第１ＢＴ搭載機器１１Ａのスレーブに設定されている携帯電話器２ｄ，２ｅのＡＣＬリンク接続の接続先をスレーブの第２ＢＴユニット１３ｂからマスタの第１ＢＴユニット１３ａに切り替え、かつ、携帯電話器２ｄ，２ｅに着信があった場合には、通話者１のＢＴユニット２ａの接続先を第１ＢＴユニット１３ａから第２ＢＴユニット１３ｂに切り替える制御ステップを設けた点に特徴がある。
【００４８】
第３の制御シーケンスは図１３〜図１８の各（Ｂ）に示すように音声通話要求相手先の第２ＢＴ搭載機器１１Ｂの第２ＢＴユニット１３ｄをＢｌｕｅｔｏｏｔｈのスキャッタネット機能を使いマスタとスレーブを時分割に交互に機能させ、この第２ＢＴユニット１３ｄのスキャッタネット内に音声通話要求を行う第２ＢＴユニット１３ｂを取り込むシーケンスである。
【００４９】
第４の制御シーケンスは図１９〜図２４の各（Ｂ）に示すように、第１，第２両ＢＴ搭載機器１１Ａ，１１Ｂに、これらＢＴ搭載機器１１Ａ，１１Ｂ同士をＢＴで無線接続するための接続用として第１，第２接続用ＢＴユニット１３ｅ，１３ｆをそれぞれ設け、これら第１，第２接続用ＢＴユニット１３ｅ，１３ｆ同士をＢＴで無線接続するための制御を第１，第２ホストコントローラ１７ａ，１７ｂにより実行するためのシーケンスである。
【００５０】
そして、これら第１〜第４の制御シーケンスは複数台のＢＴ搭載機器１１Ａ〜１１Ｎのステータス、つまり音声通話モードに応じてそれぞれ実行され、その音声通話モードとしては次の４つの場合（状態）がある。
（１）第１，第２両ＢＴ搭載機器１１Ａ，１１Ｂの両者が共に音声通話のスタンバイ状態にある第１モードの場合。
（２）第１，第２両ＢＴ搭載機器１１Ａ，１１Ｂの一方、例えば１１Ｂが通話中である第２モードの場合。
（３）第１，第２両ＢＴ搭載機器１１Ａ，１１Ｂの他方、例えば１１Ａが通話中である第３モードの場合。
（４）第１，第２両ＢＴ搭載機器１１Ａ，１１Ｂの両者が共に通話中である第４モードの場合。
【００５１】
次に、これら４つの音声通話モードに分けて上記第１〜第４の制御シーケンスを図２〜図２４に基づいて説明する。なお、ここ以下では複数台のＢＴ搭載機器１１Ａ〜１１Ｎ間の機器本体同士を介した音声通話の一例として２台のＢＴ搭載機器１１Ａ，１１Ｂ間の機器本体同士を介した音声通話について説明するが、本発明はこれら２台のＢＴ搭載機器１１Ａ，１１Ｂの機器本体同士を介した音声通話に限定されるものではなく、複数のＢＴ搭載機器１１Ａ〜１１Ｎ間の機器本体同士を介した音声通話に適用されるものである。
【００５２】
図２〜図６は上記４つの音声通話モードの２台のＢＴ搭載機器１１Ａ，１１Ｂを上記第１の制御シーケンスにより機器本体同士を介した音声通話モード等へ移行させる場合の制御シーケンスをそれぞれ示す各機能ブロック図であり、これら図中（ａ），（ｂ），（ｃ），（ｄ），（ｅ），（ｆ）はその制御ステップをそれぞれ示す。図２（Ａ）はこれら両ＢＴ搭載機器１１Ａ，１１Ｂの両者が共にスタンバイ状態である第１モードであることを示し、図２（Ｂ）はこのスタンバイ状態の両ＢＴ搭載機器１１Ａ，１１Ｂを、その第１，第２両コントローラ１７ａ，１７ｂの制御により機器本体同士を介した音声通話モードへ移行させる場合の制御シーケンスを示す機能ブロック図である。
【００５３】
すなわち、図２（Ａ）に示すように第１，第２両ＢＴ搭載機器１１Ａ，１１Ｂが共にスタンバイ状態である第１モードの場合とは、これら両ＢＴ搭載機器１１Ａ，１１Ｂの電源スイッチが共にＯＮされて、両ＢＴ搭載機器１１Ａ，１１Ｂの各第１，第２ＢＴユニット１３ａ，１３ｂ、１３ｃ，１３ｄに、通話者１や通話者２のヘッドセット等の各通話装置２ａ〜２ｃと携帯電話器２ｄ，２ｅがＡＣＬリンクによりそれぞれ接続されている状態を示す。
【００５４】
このように両ＢＴ搭載機器１１Ａ，１１Ｂの電源スイッチがオンされると、その電源ＯＮ状態が第１，第２両ホストコントローラ１７ａ，１７ｂにより検出され、両ＢＴ搭載機器１１Ａ，１１Ｂをスタンバイモードに制御する。すなわち、第１，第２ホストコントローラ１７ａ，１７ｂは両ＢＴ搭載機器１１Ａ，１１Ｂの各第１ＢＴユニット１３ａ，１３ｃを共にマスタ（Ｍａｓｔｅｒ）モードに制御すると共に、ヘッドセット・プロファイルをＡＧモードで動作させて通話者１のヘッドセット等の通話装置２ａをＡＣＬリンクによりデータ通信可能に接続している。
【００５５】
また、第１，第２両ホストコントローラ１７ａ，１７ｂは両ＢＴ搭載機器１１Ａ，１１Ｂの両第２ＢＴユニット１３ｂ，１３ｄをマスタモードに制御すると共に、ヘッドセット・プロファイルをＡＧモードで動作させ、さらに、ハンズフリー（ＨＦ）可能の携帯電話器２ｄ，２ｅをハンズフリーで動作させるために、ハンズフリー　プロファイルをＨＦモードで動作させ、通話者２の通話装置２ｂ，２ｃの一例であるヘッドセット（ＨＳ）と携帯電話器２ｄ，２ｅとをＡＣＬリンクにより各第２ＢＴユニット１３ｂ，１３ｄにそれぞれ接続している。
【００５６】
このように両ＢＴ搭載機器１１Ａ，１１Ｂが共にスタンバイ状態である第１モードのときに、例えば第１ＢＴ搭載機器１１Ａのスイッチ操作部２１において、予め登録されているＢＴ搭載機器１１Ｂに接続される通話者との機器本体同士を介した音声通話モードが選択操作されると、図２（Ｂ）に示すように第１，第２ホストコントローラ１７ａ，１７ｂにより次の制御シーケンスが実行される。
【００５７】
（ａ）まず、音声通話要求を行う第１ＢＴ搭載機器１１Ａでは、第１ホストコントローラ１７ａは、スイッチ操作部２１において選択されたＢＴ搭載機器１１Ｂに接続される通話者との機器本体同士を介した音声通話モードが選択されたことを読み込むと共に、通話要求側である第１ＢＴ搭載機器１１Ａの第１ＢＴユニット１３ａを制御することにより、これにこれまでに既に接続されていた通話者２のヘッドセット等通話装置２ｂ，２ｃと携帯電話器２ｄ，２ｅとの各ＡＣＬリンク接続を共に切断する。
【００５８】
（ｂ）次に、第１ホストコントローラ１７ａは、この第１ＢＴ搭載機器１１Ａの第２ＢＴユニット１３ｂを制御して、そのヘッドセット・プロファイル（ＨＳ）をＡＧモードからヘッドセット（ＨＳ）、すなわち被処理側に変更してマスタをスレーブにロールチェンジ（Ｒｏｌｅ　Ｃｈａｎｇｅ）し、ＡＣＬリンク接続要求信号をこのスレーブの第２ＢＴユニット１３ｂから音声通話要求相手先の第２ＢＴ搭載機器１１Ｂのマスタの第２ＢＴユニット１３ｄに無線送信させる。
【００５９】
（ｃ）一方、音声通話要求相手先の第２ＢＴ搭載機器１１Ｂでは、その第２ホストコントローラ１７ｂによりその第２ＢＴユニット１３ｄにより受信されたＡＣＬリンク接続要求信号を検出したときに、第２ＢＴ搭載機器１１Ｂ、もしくは、通話装置２ａ、２ｂに接続要求の通知を行う。さらに、第１，第２両ＢＴ搭載機器１１Ａ，１１Ｂの両第２ＢＴユニット１３ｂ，１３ｄ同士をＡＣＬリンクにより接続するように第２ＢＴユニット１３ｄを制御する。一方、これまで既に第２ＢＴ搭載機器１１Ｂの第１ＢＴユニット１３ｃにＡＣＬリンクにより接続されている音声通話の相手方である通話者１のヘッドセット等の通話装置２ａを音声通話可能のＳＣＯリンクによっても当該第２ＢＴユニット１３ｃに接続する。
【００６０】
（ｄ）次に第２ＢＴ搭載機器１１Ｂの第２ホストコントローラ１７ｂは、そのマスタの第２ＢＴユニット１３ｄを制御して、これからＳＣＯリンク接続要求信号を第１ＢＴ搭載機器１１Ａのスレーブの第２ＢＴユニット１３ｂに送信させ、ＳＣＯリンクによる接続を確立させる。
【００６１】
（ｅ）一方、第１ＢＴ搭載機器１１Ａでは、その第１ホストコントローラ１７ａにより、第２ＢＴ搭載機器１１ＢからのＳＣＯリンク接続要求信号を第１ＢＴ搭載機器１１Ａの第２ＢＴユニット１３ｂが受信したことを検出すると、この第１ホストコントローラ１７ａはこの第２ＢＴユニット１３ｂを制御することにより第２ＢＴ搭載機器１１Ｂの第２ＢＴユニット１３ｄとのＳＣＯリンクを接続し、その接続を確立させる。この後、第１のホストコントローラ１７ａは第１ＢＴ搭載機器１１Ａの第１ＢＴユニット１３ａを制御して、これに音声通話要求を行う通話者１のヘッドセット等の通話装置２ａをＳＣＯリンクにより接続させる。
【００６２】
これにより、第１，第２ＢＴ搭載機器１１Ａ，１１Ｂの通話者１同士のヘッドセット等の通話装置２ａ，２ａ同士が、上記フォワード伝送路により相互に接続された第１，第２ＢＴユニット１３ａ，１３ｂを介してＳＣＯリンクにより接続されるので、これら通話装置２ａ，２ａにより通話者１同士が機器本体同士を介した音声通話を行なうことができる。
【００６３】
図３（Ａ）は第１ＢＴ搭載機器１１Ａがスタンバイ状態であって、第２ＢＴ搭載機器１１Ｂが例えば通話者１の通話装置２ａと、通話者２の通話装置２ｃ（または２ｄ）とにより通話中である第２モードを示している。
【００６４】
この状態で例えば第１ＢＴ搭載機器１１Ａのスイッチ操作部２１において、その通話者１の通話装置２ａから音声通話要求相手先の第２ＢＴ搭載機器１１Ｂの通話者１の通話装置２ａと機器本体同士を介した音声通話を行なう通信モードが選択されると、このモード選択を検出する第１ホストコントローラ１７ａと第２ホストコントローラ１７ｂにより図３（Ｂ）に示すように上記第１の制御シーケンスが実行される。
【００６５】
（ａ）すなわち、まず音声通話要求を行う第１ＢＴ搭載機器１１Ａでは、その第１ホストコントローラ１７ａによりスイッチ操作部２１において選択されたＢＴ搭載機器１１Ｂに接続される通話者との機器本体同士を介した音声通話モードを読み込むと、この第１ホストコントローラ１７ａは第１ＢＴ搭載機器１１Ａを図２（Ａ）で示すスタンバイ状態から第１ホストコントローラ１７ａは第１ＢＴ搭載機器１１Ａの第２ＢＴユニット１３ｂを制御することにより、その通話者１以外の通話者２の通話装置２ｂ，２ｃおよび携帯電話器２ｄ，２ｅと、第２ＢＴユニット１３ｂとのＡＣＬリンクの接続を切断する。
【００６６】
（ｂ）次に、第１ホストコントローラ１７ａはこの第１ＢＴ搭載機器１１Ａの第２ＢＴユニット１３ｂのヘッドセットプロファィル（ＨＳ）をＡＧモードからヘッドセット（ＨＳ）モード、すなわち被処理側に変更してマスタからスレーブにロールチェンジ（役割変更）し、ＡＣＬ接続要求信号をこの第２ＢＴユニット１３ｂから第２ＢＴ搭載機器１１Ｂの第２ＢＴユニット１３ｄに送信させる。
【００６７】
（ｃ）一方、第２ＢＴ搭載機器１１Ｂでは、その第２ホストコントローラ１７ｂにより第２ＢＴユニット１３ｄにより受信されたＡＣＬ接続要求信号を読み込むと、第２ＢＴ搭載機器１１Ｂ、もしくは、通話装置２ａ、２ｂに接続要求の通知を行う。さらに、第２ＢＴユニット１３ｄを制御することにより、第１ＢＴ搭載機器１１Ａの第２ＢＴユニット１３ｂを第２ＢＴ搭載機器１１Ｂの第２ＢＴユニット１３ｄにＡＣＬリンクにより接続させる。この後、第２ＢＴ搭載機器１１Ｂの第２ＢＴユニット１３ｄと、通話者２の通話装置２ｂ，２ｃとのＳＣＯリンクを切断し、第２ＢＴ搭載機器１１Ｂ側の通話者１と通話者２との音声通話を強制的に中断させ、ＡＣＬリンク接続のみを継続させる。
【００６８】
（ｄ）次に、第２ＢＴ搭載機器１１Ｂの第２ホストコントローラ１７ｂは、そのマスタの第２ＢＴユニット１３ｄからＳＣＯリンク接続要求信号を第１ＢＴ搭載機器１１Ａのスレーブの第２ＢＴユニット１３ｂへ送信させる。このＳＣＯリンク接続要求信号を第１ＢＴ搭載機器１１Ａの第１ホストコントローラ１７ａにより検出すると、この第１ホストコントローラ１７ａはその第２ＢＴユニット１３ｂを、第２ＢＴ搭載機器１１Ｂの第２ＢＴユニット１３ｄとＳＣＯリンクにより接続するように制御する。
【００６９】
（ｅ）そして、この第１，第２ＢＴ搭載機器１１Ａ，１１Ｂの両第２ＢＴユニット１３ｂ，１３ｄ同士のＳＣＯリンク接続の確立を第１ホストコントローラ１７ａにより検出した後は、第１ホストコントローラ１７ａは上記図２（Ｂ）と同様に第１ＢＴ搭載機器１１Ａの第１ＢＴユニット１３ａに、音声通話要求を行う通話者１のヘッドセット等の通話装置２ａをＳＣＯリンクにより接続する。
【００７０】
これにより、第１，第２ＢＴ搭載機器１１Ａ，１１Ｂの通話者１同士のヘッドセット等の通話装置２ａ，２ａ同士が第１，第２両ＢＴ搭載機器１１Ａ，１１Ｂを介してＳＣＯリンクにより接続されるので、これら両通話者はその通話装置２ａ，２ａを介して機器本体同士を介した音声通話を行なうことができる。
【００７１】
図４（Ａ）は上記図３（Ａ）とは逆に第１ＢＴ搭載機器１１Ａが通話中（例えば通話者１と通話者２が各々の通話装置２ａ，２ｂ，２ｃにより通話中）であって、第２ＢＴ搭載機器１１Ｂがスタンバイ状態である第３モードを示している。
【００７２】
図４（Ｂ）は、この状態で例えば第１ＢＴ搭載機器１１Ａのスイッチ操作部２１において、その通話者１の通話装置２ａから音声通話要求相手先の第２ＢＴ搭載機器１１Ｂの例えば通話者１の通話装置２ａと機器本体同士を介した音声通話を行なう通信モードが選択されると、このモード選択を検出する第１ホストコントローラ１７ａと第２ホストコントローラ１７ｂにより次の制御が実行される。
【００７３】
（ａ）この場合は第１ホストコントローラ１７ａの第１ＢＴ搭載機器１１Ａを一旦上記スタンバイ状態に戻す制御を行なう。
【００７４】
すなわち、第１ホストコントローラ１７ａはまず第１ＢＴ搭載機器１１Ａの第２ＢＴユニット１３ｂを制御することにより、その通話者１以外の通話者２の通話装置２ｂ，２ｃおよび携帯電話器２ｄ，２ｅと、第２ＢＴユニット１３ｂとのＡＣＬリンクの接続を切断する。
【００７５】
（ｂ）次に、第１ホストコントローラ１７ａは、この第１ＢＴ搭載機器１１Ａの第２ＢＴユニット１３ｂを制御して、そのヘッドセットプロファィル（ＨＳ）をＡＧモードからヘッドセット（ＨＳ）、すなわち被処理側に変更してマスタからスレーブにロールチェンジし、ＡＣＬリンク接続要求信号をこの第２ＢＴユニット１３ｂから第２ＢＴ搭載機器１１Ｂの第２ＢＴユニット１３ｄに送信させる。
【００７６】
（ｃ）この後、第２ＢＴ搭載機器１１Ｂでは、その第２ホストコントローラ１７ｂによりその第２ＢＴユニット１３ｄにより受信されたＡＣＬ接続要求信号を読み込むと、第２ＢＴ搭載機器１１Ｂ、もしくは、通話装置２ａ、２ｂに接続要求の通知を行う。さらに、この第２ホストコントローラ１７ｂにより、第２ＢＴ搭載機器１１Ｂの第２ＢＴユニット１３ｄを制御することにより、第２ＢＴ搭載機器１１Ｂの第２ＢＴユニット１３ｄを第１ＢＴ搭載機器１１Ａの第２ＢＴユニット１３ｂにＡＣＬリンクにより接続する一方、第２ＢＴ搭載機器１１Ｂの第１ＢＴユニット１３ｃと、通話者１の通話装置２ａとのＳＣＯリンクを接続する。
【００７７】
（ｄ）次に、第２ＢＴ搭載機器１１Ｂの第２ホストコントローラ１７ｂは、マスタの第２ＢＴユニット１３ｄからＳＣＯリンク接続要求信号を第１ＢＴ搭載機器１１Ａのスレーブの第２ＢＴユニット１３ｂへ送信させる。このＳＣＯリンク接続要求信号を受信する第１ＢＴ搭載機器１１Ａの第２ＢＴユニット１３ｂを介して第１ホストコントローラ１７ａが検出すると、この第１ホストコントローラ１７ａはその第２ＢＴユニット１３ｂを、第２ＢＴ搭載機器１１Ｂの第２ＢＴユニット１３ｄにＳＣＯリンクにより接続するように制御する。
【００７８】
（ｅ）そして、この第１，第２ＢＴ搭載機器１１Ａ，１１Ｂの両第２ＢＴユニット１３ｂ，１３ｄ同士のＳＣＯリンク接続の確立を第１ホストコントローラ１７ａにより検出すると、この第１ホストコントローラ１７ａは上記図２（Ｂ）と同様に第１ＢＴ搭載機器１１Ａの第１ＢＴユニット１３ａを制御して、これに、音声通話要求を行う通話者１の通話装置２ａをＳＣＯリンクにより接続する。
【００７９】
これにより、第１，第２ＢＴ搭載機器１１Ａ，１１Ｂの通話者１同士のヘッドセット等の通話装置２ａ，２ａ同士がＳＣＯリンクにより接続されるので、これら通話装置２ａ，２ａ同士により機器本体同士を介した音声通話を行なうことができる。
【００８０】
図５（Ａ）は第１，第２両ＢＴ搭載機器１１Ａ，１１Ｂが共にそれぞれ通話中、例えば各ＢＴ搭載機器１１Ａ，１１Ｂにおいて通話者１と通話者２とが各々の通話装置２ａ，２ｂ，２ｃによりそれぞれ個別に通話中である上記第４モードの場合を示している。
【００８１】
図５（Ｂ）はこのような第１，第２両ＢＴ搭載機器１１Ａ，１１Ｂが共に通話中である場合に、第１ＢＴ搭載機器１１Ａのスイッチ操作部２１において、その通話者１の通話装置２ａから音声通話要求相手先の第２ＢＴ搭載機器１１Ｂの通話装置２ａ〜２ｅ、例えば通話者１の通話装置２ａと機器本体同士を介した音声通話を行なう通信モードが選択されると、図５（Ｂ）に示す次の制御が第１，第２ホストコントローラ１７ａ，１７ｂにより実行される。
【００８２】
（ａ）この場合も第１ホストコントローラ１７ａは音声通話要求を行う第１ＢＴ搭載機器１３ａを一旦上記スタンバイ状態に戻す制御を行なう。
【００８３】
すなわち、第１ホストコントローラ１７ａは、まず第１ＢＴ搭載機器１１Ａの第２ＢＴユニット１３ｂを制御することにより、その通話者１以外の通話者２の通話装置２ｂ，２ｃと、第２ＢＴユニット１３ｂとのＳＣＯリンクおよびＡＣＬリンクとの両接続を切断すると共に、この第２ＢＴユニット１３ｂと携帯電話器２ｄ，２ｅとのＡＣＬリンクの接続を切断する。
【００８４】
（ｂ）次に、第１ホストコントローラ１７ａはこの第１ＢＴ搭載機器１１Ａの第２ＢＴユニット１３ｂを制御して、そのヘッドセットプロファィル（ＨＳ）をＡＧモードからヘッドセット（ＨＳ）、すなわち被処理側に変更してマスタからスレーブにロールチェンジし、ＡＣＬ接続要求信号をこの第２ＢＴユニット１３ｂから第２ＢＴ搭載機器１１Ｂの第２ＢＴユニット１３ｄに送信させる。
【００８５】
（ｃ）この後、第２ＢＴ搭載機器１１Ｂでは、その第２ホストコントローラ１７ｂによりその第２ＢＴユニット１３ｄにより受信されたＡＣＬ接続要求信号を読み込むと、第２ＢＴ搭載機器１１Ｂ、もしくは、通話装置２ａ，２ｂに接続要求の通知を行う。さらに、第２ＢＴ搭載機器１１Ｂの第２ＢＴユニット１３ｄを制御することにより、この第２ＢＴユニット１３ｄを第１ＢＴ搭載機器１１Ａの第２ＢＴユニット１３ｂにＡＣＬリンクにより接続する一方、第２ＢＴ搭載機器１１Ｂの第２ＢＴユニット１３ｄと、通話者２の通話装置２ｂ，２ｃとのＳＣＯリンクを切断し、第２ＢＴ搭載機器１１Ｂ側の通話者１と通話者２との音声通話を中断させ、ＡＣＬリンクの接続のみを継続させる。
【００８６】
（ｄ）次に、第２ＢＴ搭載機器１１Ｂの第２ホストコントローラ１７ｂは、マスタの第２ＢＴユニット１３ｄを制御して、これからＳＣＯリンク接続要求信号を第１ＢＴ搭載機器１１Ａのスレーブの第２ＢＴユニット１３ｂへ送信させる。このＳＣＯリンク接続要求信号を受信する第１ＢＴユニット１３ａを介して検出した第１ＢＴ搭載機器１１Ａの第１ホストコントローラ１７ａはその第２ＢＴユニット１３ｂを、第２ＢＴ搭載機器１１Ｂの第２ＢＴユニット１３ｄにＳＣＯリンクにより接続するように制御する。
【００８７】
（ｅ）そして、この第１，第２ＢＴ搭載機器１１Ａ，１１Ｂの両第２ＢＴユニット１３ｂ，１３ｄ同士のＳＣＯリンク接続の確立を第１ホストコントローラ１７ａにより検出すると、この第１ホストコントローラ１７ａは上記図２（Ｂ）と同様に第１ＢＴ搭載機器１１Ａの第１ＢＴユニット１３ａを制御して、これに、音声通話要求を行う通話者１の通話装置２ａをＳＣＯリンクにより接続する。
【００８８】
これにより、第１，第２ＢＴ搭載機器１１Ａ，１１Ｂの通話者１同士のヘッドセット等の通話装置２ａ，２ａ同士がＳＣＯリンクにより接続されるので、これら通話装置２ａ，２ａにより機器本体同士を介した音声通話を行なうことができる。
【００８９】
図６（Ａ）は上記図２〜図５の各（Ｂ）で示すように例えば２台の音声通話要求相手先の両ＢＴ搭載機器１１Ａ，１１Ｂを介してこれら通話者１の両通話装置２ａ，２ａ同士間で機器本体同士を介した音声通話をしている状態を示している。この状態では第１ＢＴ搭載機器１１Ａ側ではその第２ＢＴユニット１３ｂがスレーブに設定されているので、同じくスレーブに設定されている第１ＢＴ搭載機器１１Ａの通話者２の通話装置２ｂ，２ｃと携帯電話器２ｄ，２ｅに対してはその第２ＢＴユニット１３ｂにＡＣＬリンクによっても接続することができない。
【００９０】
そこで、図６（Ｂ）はこの音声通話要求相手先の通話者１同士の機器本体同士を介した音声通話状態から、同一ＢＴ搭載機器、例えば１１Ａの通話者１の通話装置２ａと通話者２の通話装置２ｂ，２ｃとの間による音声通話モードに移行させる場合の制御シーケンスを示しており、この制御シーケンスは第１，第２ホストコントローラ１７ａ，１７ｂにより次のように実行される。
【００９１】
（ａ）まず、第１ＢＴ搭載機器１１Ａのスイッチ操作部（図１参照）２１において、第１ＢＴ搭載機器１１Ａにおける通話者２通話が選択されている状態を第１ＢＴ搭載機器１１Ａの第１ホストコントローラ１７ａにより検出すると、この第１ホストコントローラ１７ａにより第１ＢＴ搭載機器１１Ａの第２ＢＴユニット１３ｂを制御して、これからＡＣＬリンクとＳＣＯリンクとを切断させる切断要求信号を第２ＢＴ搭載機器１１Ｂの第２ＢＴユニット１３ｄに送信させる。
【００９２】
（ｂ）一方、第２ＢＴ搭載機器１１Ｂでは、その第２ホストコントローラ１７ｂにより上記第１ＢＴ搭載機器１１ＡからのＡＣＬリンクとＳＣＯリンク切断要求信号を第２ＢＴ搭載機器１１Ｂの第２ＢＴユニット１３ｄにより受信したことを検出した後に、第２ＢＴユニット１３ｄを制御することにより、第１ＢＴ搭載機器１１Ａの第２ＢＴユニット１３ｂとのＡＣＬリンクとＳＣＯリンクとの接続を切断させる。次に第２ホストコントローラ１７ｂは第２ＢＴ搭載機器１１Ｂの第３ＢＴユニット１３ｃと通話者１の通話装置２ａとのＳＣＯリンクを切断してＡＣＬリンクの接続のみを継続させる。
【００９３】
（ｃ）他方、第１ＢＴ搭載機器１１Ａの第１ホストコントローラ１７ａにより上記制御ステップ（ａ）で第１ＢＴ搭載機器１１Ａの第２ＢＴユニット１３ｂをスレーブからマスタにロールチェンジさせた後、第１ＢＴ搭載機器１１Ａの第２ＢＴユニット１３ｂを制御して、これに第１ＢＴ搭載機器１１Ａの通話者２の通話装置２ｂ，２ｃをＡＣＬリンクとＳＣＯリンクとにより接続させる。これにより第１ＢＴ搭載機器１１Ａの通話者２の通話装置２ｂ，２ｃと通話者１の通話装置２ａとの音声通話が可能になる。同時に、第１ＢＴ搭載機器１１Ａの第１ホストコントローラ１７ａは第１ＢＴ搭載機器１１Ａの第２ＢＴユニット１３ｂを制御して、これに携帯電話器２ｄ，２ｅをＡＣＬリンクにより接続させる。これにより、携帯電話器２ｄ，２ｅは着信信号を受信することができる。また、第１ＢＴ搭載機器１１Ａの第２ＢＴユニット１３ｂの通話者２の通話装置２ｂ，２ｃと接続されているＳＣＯリンクを切断し、第１ＢＴ搭載機器１１Ａの第２ＢＴユニット１３ｂと携帯電話器２ｄ，２ｅをＳＣＯリンクで接続することで携帯電話器２ｄ，２ｅのハンズフリー通話も行うことができる。
【００９４】
図７〜図１２の各（Ｂ）は上記第２の制御シーケンスにより上記４モード等の２台のＢＴ搭載機器１１Ａ，１１Ｂを通話者１同士の機器本体同士を介した音声通話モード等に移行させる制御シーケンスをそれぞれ示す機能ブロック図である。この第２の制御シーケンスは上述の第１の制御シーケンスにより通話者１同士等の機器本体同士を介した音声通話中に、携帯電話器２ｄ，２ｅのＡＣＬリンクの接続先を、第１ＢＴ搭載機器１１Ａのスレーブの第２ＢＴユニット１３ｂからマスタの第１ＢＴユニット１３ａへ切り替えることにより、機器本体同士を介した音声通話中においても携帯電話器２ｄ，２ｅが着信信号を受信できるように制御する点に特徴がある。
【００９５】
さらに、通話者１の通話装置２ａのＡＣＬリンクとＳＣＯリンクの接続先を、第１ＢＴ搭載機器１１Ａのスレーブの第２ＢＴユニット１３ａからマスタの第１ＢＴユニット１３ｂへ切り替えることにより、機器本体同士を介した音声通話中においても携帯電話器２ｄ，２ｅが着信信号を受信し、かつ、ハンズフリー通話ができる様に制御する点にも特徴がある。
【００９６】
したがって、図７〜図１２の各（Ｂ）でそれぞれ示す第２の制御シーケンスは図２〜図６の各（Ｂ）で示す第１の制御シーケンスと同一の制御ステップを複数有するので、これら同一の制御ステップには図７〜図１２の各（Ｂ）において図２〜図６の各（Ｂ）に付した同一符号（ａ）〜（ｅ）をそれぞれ付し、その重複した説明を省略ないし簡略化している。
【００９７】
すなわち、図７（Ａ）は上記図２（Ａ）と同様に、第１，第２ＢＴ搭載機器１１Ａ，１１Ｂが共にスタンバイ状態にある第１モードを示している。図７（Ｂ）はこのスタンバイ状態から通話者１同士での機器本体同士を介した音声通話状態へ移行させる場合の第２の制御シーケンスを示している。
【００９８】
つまり、図７（Ｂ）は上記図２（Ｂ）により図示した場合と同様に（ａ）〜（ｅ）の制御シーケンスにより第１，第２ＢＴ搭載機器１１Ａ，１１Ｂの両通話者１の通話装置２ａ，２ａ同士をＳＣＯリンクにより無線接続し、音声通話可能に接続している。
【００９９】
しかし、この（ａ）〜（ｅ）の制御では第１ＢＴ搭載機器１１Ａの第２ＢＴユニット１３ｂがマスタからスレーブにロールチェンジされており、かつ、第２ＢＴユニット１３ｂは第２ＢＴ搭載機器１１Ｂの第２ＢＴユニット１３ｄと無線接続されているために携帯電話器２ｄ，２ｅとの間では、その一方からＡＣＬリンク接続要求信号を送信することができず、ＡＣＬリンクにより接続することもできない。このために、携帯電話器２ｄ，２ｅは着信信号を受信することができない。
【０１００】
そこで、次の制御ステップ（ｆ）では、上記（ｅ）において、第１ホストコントローラ１７ａにより第１ＢＴ搭載機器１１Ａの第１ＢＴユニット１３ａに通話者１の通話装置２ａをＡＣＬリンクとＳＣＯリンクとにより音声通話可能に無線接続を確立した後、この第１ホストコントローラ１７ａにより第１ＢＴユニット１３ａを制御して、携帯電話器２ｄ，２ｅを第１ＢＴ搭載機器１１Ａのマスタの第１ＢＴユニット１３ａにＡＣＬリンクによりデータ通信可能に接続する。
【０１０１】
これにより、携帯電話器２ｄ，２ｅは通話者１同士の機器本体同士を介した音声通話中においても着信信号を受信することができる。
【０１０２】
さらに、通話者１の通話装置２ａのＡＣＬリンクとＳＣＯリンクの接続先を、第１ＢＴ搭載機器１１Ａのスレーブの第２ＢＴユニット１３ａからマスタの第１ＢＴユニット１３ｂへ切り替えることにより、機器本体同士を介した音声通話中においても携帯電話器２ｄ，２ｅが着信信号を受信し、かつ、ハンズフリー通話を行うことができる。
【０１０３】
このように、携帯電話器２ｄ，２ｅのＡＣＬ接続先と通話者１の通話装置２ａのＡＣＬとＳＣＯ接続先を切り替える制御ステップは上記第１，第２ＢＴ搭載機器１１Ａ，１１Ｂの４つの音声通話モードについてそれぞれ実行される第１の制御シーケンスにそれぞれ付加されることとにより第２の制御シーケンスが実行され、図８〜図１０の各（Ｂ）では各々（ｆ），（ｅ），（ｅ）の各制御ステップとして図示されており、その重複した説明は省略する。
【０１０４】
図９（Ａ）は第１，第２ＢＴ搭載機器１１Ａ，１１Ｂを介してこれらの各通話者１同士で音声通話している状態を示しており、同図（Ｂ）はその通話者１同士が音声通話している最中に、第１ＢＴ搭載機器１１Ａが携帯電話器の着信信号を受信したときに、この携帯電話器を介して音声通話する音声通話モードへ移行する場合の第２制御シーケンスの制御方法を示している。
【０１０５】
（ａ）すなわち、この場合、第２の制御シーケンスは図９（Ｂ）に示すように、まず、第１ＢＴ搭載機器１１Ａのスイッチ操作部（図１参照）２１において、第１ＢＴ搭載機器１１Ａにおける通話者２通話が選択されている状態を第１ＢＴ搭載機器１１Ａの第１ホストコントローラ１７ａにより検出すると、この第１ホストコントローラ１７ａにより第１ＢＴ搭載機器１１Ａの第２ＢＴユニット１３ｂを制御して、これからＡＣＬリンクとＳＣＯリンクとを切断させる切断要求信号を第２ＢＴ搭載機器１１Ｂの第２ＢＴユニット１３ｄに送信させる。
【０１０６】
（ｂ）一方、第２ＢＴ搭載機器１１Ｂでは、その第２ホストコントローラ１７ｂにより上記第１ＢＴ搭載機器１１ＡからのＡＣＬリンクとＳＣＯリンク切断要求信号を第２ＢＴ搭載機器１１Ｂの第２ＢＴユニット１３ｄにより受信したことを検出した後に、第２ＢＴユニット１３ｄを制御することにより、第１ＢＴ搭載機器１１Ａの第２ＢＴユニット１３ｂとのＡＣＬリンクとＳＣＯリンクとの接続を切断させる。次に第２ホストコントローラ１７ｂは第１ＢＴ搭載機器１１Ｂの第３ＢＴユニット１３ｃと通話者１の通話装置２ａとのＳＣＯリンクを切断してＡＣＬリンクの接続のみを継続させる。
【０１０７】
（ｃ）他方、第１ＢＴ搭載機器１１Ａの第１ホストコントローラ１７ａにより第１ＢＴ搭載機器１１Ａの第１ＢＴユニット１３ａを制御して、これに第１ＢＴ搭載機器１１Ａの通話者１と接続されていたＡＣＬリンクとＳＣＯリンクのうちのＳＣＯリンクを切断させる。また、第１ホストコントローラ１７ａは第１ＢＴ搭載機器１１Ａの第２ＢＴユニット１３ｂを制御して、これに通話者１の通話装置２ａをＡＣＬリンクとＳＣＯリンクとにより接続する。
【０１０８】
（ｄ）この後、第１ホストコントローラ１７ａは第１ＢＴ搭載機器１１Ａの第１ＢＴユニット１３ａを制御してこれに携帯電話器２ｄ（２ｅ）をＡＣＬリンクとＳＣＯリンクとにより第１ＢＴユニット１３ａに接続する。これにより、通話者１は携帯電話器２ｄ（２ｅ）により音声通話できる。
【０１０９】
（ｅ）この携帯電話器２ｄ（２ｅ）により通話した後、第１ＢＴ搭載機器１１Ａでは、第１ホストコントローラ１７ａにより第１ＢＴユニット１３ａを制御して、これと通話者１の通話装置２ａとＡＣＬ接続する一方、第２ＢＴユニット１３ｂを制御して、これに通話者２の通話装置２ｂ，２ｃと携帯電話器２ｄ，２ｅをＡＣＬ接続させてスタンバイに戻す。
【０１１０】
図１１（Ａ）は上記第１の制御シーケンスの実行により第１，第２ＢＴ搭載機器１１Ａ，１１Ｂの例えば通話者１同士により機器本体同士を介した音声通話している状態を示している。
【０１１１】
図１１（Ｂ）はこの通話者１同士の機器本体同士を介した音声通話モードから同一ＢＴ搭載機器、例えば１１Ａ内の通話者１と通話者２とにより、それらの通話装置２ａ，２ｂ（または２ｃ）を介して音声通話するモードへ移行させる場合の第２の制御シーケンスを図示している。
【０１１２】
（ａ）すなわち、この場合、第２の制御シーケンスは、まず第１ホストコントローラ１７ａにより第１ＢＴ搭載機器１１Ａのスレーブの第２ＢＴユニット１３ｂを制御して、これからＡＣＬリンクとＳＣＯリンクの切断を要求する信号を第２ＢＴ搭載機器１１Ｂの第２ＢＴユニット１３ｄに送信させる。
【０１１３】
（ｂ）このＡＣＬリンクおよびＳＣＯリンク切断要求信号を第２ＢＴ搭載機器１１Ｂの第２ＢＴユニット１３ｄにより受信したことを第２ホストコントローラ１７ｂにより検出すると、この第２ホストコントローラ１７ｂは第２ＢＴ搭載機器１１Ｂの第２ＢＴユニット１３ｄを制御することにより、このＡＣＬリンクとＳＣＯリンクとを切断する。また、その切断後、第２ＢＴ搭載機器１１Ｂのマスタの第１ＢＴユニット１３ｃを制御することにより、これと通話者１の通話装置２ａとのＳＣＯリンクを切断させ、ＡＣＬリンクによる接続のみを保持させる。
【０１１４】
（ｃ）一方、第１ＢＴ搭載機器１１Ａでは、その第１ホストコントローラ１７ａにより第２ＢＴユニット１３ｂを制御することによりＡＣＬリンクおよびＳＣＯリンク切断要求信号を送信した後に、第２ＢＴユニット１３ｂをスレーブからマスタロールチェンジすると共に、これまでに第２ＢＴユニット１３ｂと接続されていた通話者１の通話装置２ａの接続先を第１ＢＴユニット１３ａに切り替えることにより、第１ＢＴユニット１３ａと通話者１の通話装置２ａとのＳＣＯリンクの接続を確立させる。さらに、第２ＢＴユニット１３ｂと通話者２の通話装置２ｂ，２ｃをＡＣＬリンクとＳＣＯリンクに接続することにより、第１ＢＴ搭載機器１１Ａの通話者１と通話者２がそれらの各通話装置２ａ，２ｂ（または２ｃ）を介して音声通話することができる。
【０１１５】
（ｄ）次に第１ＢＴ搭載機器１１Ａの第１ホストコントローラ１７ａは、第２ＢＴユニット１３ｂが上記（ａ）でマスタにロールチェンジされているので、第１，第２ＢＴユニット１３ａ，１３ｂを制御して携帯電話器２ｄ，２ｅのＡＣＬリンク接続先を、図１１（Ａ）で示す第１ＢＴ搭載機器１１Ａの第１ＢＴユニット１３ａから図１１（Ｂ）で示すマスタの第２ＢＴユニット１３ｂへ切り替える。
【０１１６】
これにより、携帯電話器２ｄ，２ｅはマスタの第２ＢＴユニット１３ｂにＡＣＬリンクにより接続されるので、通話者１と通話者２との音声通話中においても着信信号を受信することができる。
【０１１７】
図１２（Ａ）は通話者１同士が機器本体同士を介した音声通話している状態を示している。図１２（Ｂ）はこの状態から第２の制御シーケンスにより同一ＢＴ搭載機器、例えば１１Ａの通話者１の通話装置２ａと携帯電話器、例えば２ｄまたは２ｅとの音声通話へ移行させる場合の制御シーケンスを示している。
【０１１８】
この場合の制御ステップ（ａ），（ｂ）は上記図１１（Ｂ）で示す制御ステップ（ａ），（ｂ）と同様であるので、その重複した説明は省略する。
【０１１９】
そして、この（ｂ）の制御ステップの実行後、（ｃ）で第１ホストコントローラ１７ａは第１ＢＴユニット１３ａを制御することにより、これまでに既に第１ＢＴ搭載機器１１Ａのマスタの第１ＢＴユニット１３ａにＡＣＬリンクにより接続されていた携帯電話器２ｄまたは２ｅをさらにＳＣＯリンクによっても接続させる。
【０１２０】
これにより、第１ＢＴ搭載機器１１Ａでは通話者１の通話装置２ａと携帯電話器２ｄまたは２ｅと音声通話できるため、携帯電話の発信、着信、及び、通話を行うことができる。
【０１２１】
図１３〜図１８の各（Ｂ）は上記第３の制御シーケンスにより、第１，第２両ＢＴ搭載機器１１Ａ，１１Ｂ間で機器本体同士を介した音声通話させるモードへ変更させる場合の複数のモードをそれぞれ示している。
【０１２２】
これらの図に示すように第３の制御シーケンスは、第１，第２ＢＴ搭載機器１１Ａ，１１Ｂの一方、例えば図１３（Ｂ）では１１Ｂの第２ＢＴユニット１３ｄをＢｌｕｅｔｏｏｔｈのスキャッタネット機能を使い時分割によりマスタ１３ｄａとスレーブ１３ｄｂが交互に機能するようにし、このマスタ１３ｄａにより構成される通信可能領域のピコネットＰ１と、スレーブ１３ｄｂにより構成される通信可能領域のピコネットＰ２と、により構成されるスキャッタネットにより音声通話要求相手先の通話者１同士の機器本体同士を介した音声通話モードへ移行させる制御シーケンスである。
【０１２３】
すなわち、図１３（Ａ）は第１，第２両ＢＴ搭載機器１１Ａ，１１Ｂが共にスタンバイ状態である第１モードを図示している。図１３（Ｂ）はこのスタンバイ状態から第１，第２両ＢＴ搭載機器１１Ａ，１１Ｂの両通話者１同士がそれらの各通話装置２ａ，２ａにより機器本体同士を介した音声通話をするという、音声通話要求相手先の通話者１同士の通話モードへ移行させる場合の第３の制御シーケンスを示している。
【０１２４】
（ａ）すなわち、まず第１ＢＴ搭載機器１１Ａの第１ホストコントローラ１７ａは上記機器本体同士を介した音声通話モードが選択された状態を第１ＢＴ搭載機器１１Ａのスイッチ操作部２１の選択操作の読込みにより検出すると、第１ＢＴ搭載機器１１Ａのマスタの第２ＢＴユニット１３ｂを制御して、これと、通話者２の通話装置２ｂまたは２ｃおよび携帯電話器２ｄまたは２ｅと、のＡＣＬリンク接続を保持させる。
【０１２５】
（ｂ）次に、第１ホストコントローラ１７ａは第１ＢＴ搭載機器１１Ａの第２ＢＴユニット１３ｂを制御して、これからＡＣＬリンク接続要求信号を第２ＢＴ搭載機器１１Ｂに送信させる。
【０１２６】
このとき、第２ＢＴ搭載機器１１Ｂの第２ホストコントローラ１７ｂはその接続要求信号を受け、Ｂｌｕｅｔｏｏｔｈのスキャッタネット機能を使い、時分割によりマスタ１３ｄａとスレーブ１３ｄｂが交互に機能するようにし、マスタ１３ｄａのＡＧモードとスレーブのＨＳモードを交互に使い分けている。
【０１２７】
このために、第２ＢＴユニット１３ｄのマスタ１３ｄａは図１３（Ａ）で示すスタンバイ状態時と同様に第２ＢＴ搭載機器１１Ｂの通話者２の通話装置２ｂ，２ｃおよび携帯電話器２ｄ，２ｅとＡＣＬリンクによる無線接続を継続し、ピコネットＰ１を形成している。
【０１２８】
また、第２ＢＴユニット１３ｄのスレーブ１３ｄｂは第１ＢＴ搭載機器１１Ａのマスタの第２ＢＴユニット１３ｂからのＡＣＬリンク接続要求信号を受信し、第２ＢＴ搭載機器１１Ｂ、もしくは、通話装置２ａ、２ｂに接続要求の通知を行う。さらに、第１ＢＴ搭載機器１１Ａの第２ＢＴユニット１３ｂとＡＣＬリンクにより接続し、ピコネットＰ２を形成している。
【０１２９】
したがって、第１ＢＴ搭載機器１１Ａの通話者２の通話装置２ｂ，２ｃと携帯電話器２ｄ，２ｅは第２ＢＴ搭載機器１１Ｂの第２ＢＴユニット１３ｄのスキャッタネット内に入るので、この第１ＢＴ搭載機器１１Ａの通話者２の通話装置２ｂ，２ｃおよび携帯電話器２ｄ，２ｅと、その第２ＢＴユニット１３ｂとのＡＣＬリンク接続を切断する必要がない。
【０１３０】
（ｃ）次に、第２ホストコントローラ１７ｂは第１，第２両ＢＴ搭載機器１１Ａ，１１Ｂの両第２ＢＴユニット１３ｂ，１３ｄ同士のＡＣＬリンク接続を確認してから第２ＢＴ搭載機器１１Ｂの第１ＢＴユニット１３ｃを制御して、これを通話者１の通話装置２ａにＡＣＬリンクとＳＣＯリンクとにより無線接続させる。
【０１３１】
（ｄ）この後、第１ＢＴ搭載機器１１Ａの第１ホストコントローラ１７ａはその第２ＢＴユニット１３ｂを制御して、これからＳＣＯリンク接続要求信号を第２ＢＴ搭載機器１１Ｂの第２ＢＴユニット１３ｄのスレーブ１３ｄｂに送信させ、これら両者間でＳＣＯリンク接続を確立させる。
【０１３２】
（ｅ）次に、第１ホストコントローラ１７ａは、第１ＢＴ搭載機器１１Ａの第１ＢＴユニット１３ａを制御して、これに、その通話者１の通話装置２ａをＳＣＯリンクにより接続させる。これにより、第１，第２両ＢＴ搭載機器１１Ａ，１１Ｂの通話者１同士がその各通話装置２ａ，２ａにより機器本体同士を介した音声通話をすることができる。すなわち、機器本体同士を介した音声通話モードへ移行される。
【０１３３】
また、これにより、第１，第２両ＢＴ搭載機器１１Ａ，１１Ｂの各通話装置２ａ〜２ｅが各ピコネットＰ１，Ｐ２内に入るので、これら各通話装置２ａ〜２ｅのＡＣＬリンクの接続を切断せずに保持することができる。このために、両通話者１同士の機器本体同士を介した音声通話中においても、携帯電話器２ｄ，２ｅは着信信号を受信することができる。
【０１３４】
図１４（Ａ）は第１，第２両ＢＴ搭載機器１１Ａ，１１Ｂが上記第２モードであるとき、すなわち、第１ＢＴ搭載機器１１Ａがスタンバイ状態であって第２ＢＴ搭載機器１１Ｂが例えば通話者１と通話者２の各通話装置２ａと２ｂまたは２ｃとにより通話する状態を示している。
【０１３５】
図１４（Ｂ）はこの状態を第２の制御シーケンスにより機器本体同士を介した音声通話するモードへ移行する場合の制御シーケンスを示している。
【０１３６】
すなわち、この場合は上記図１３（Ｂ）で示す制御ステップ（ｃ）において、第２ＢＴ搭載機器１１Ｂの第１ＢＴユニット１３ｃとその通話者１の通話装置２ａとをＡＣＬリンクとＳＣＯリンクにより接続する制御ステップを、第２ＢＴ搭載機器１１Ｂの通話者２の通話装置２ｂ，２ｃをその第２ＢＴユニット１３ｄのマスタ１３ｄａにＡＣＬリンクにより接続する制御ステップに置換することにより、通話者１同士の機器本体同士を介した音声通話モードへ移行させることができる。
【０１３７】
この第３の制御シーケンスにより第２ＢＴ搭載機器１１Ｂの第２ＢＴユニット１３ｄのスキャッタネット内に第１，第２両ＢＴ搭載機器１１Ａ，１１Ｂの携帯電話器２ｄ，２ｅを入れるので、これら携帯電話器２ｄ，２ｅは着信信号を受信することができる。
【０１３８】
さらに、図１５（Ｂ）はこの第３の制御シーケンスにより図１５（Ａ）で示すように第１ＢＴ搭載機器１１Ａが例えば通話者１と通話者２の各通話装置２ａと、２ｂまたは２ｃとにより音声通話中であって、第２ＢＴ搭載機器１１Ｂがスタンバイ状態である、第３モードから機器本体同士を介した音声通話モードへ移行させる場合の制御シーケンスを示している。この場合は、上記図１３（Ｂ）で示す制御ステップ（ａ）を、第１ＢＴ搭載機器１１Ａの第２ＢＴユニット１３ｂと通話者２の通話装置２ｂ，２ｃとのＳＣＯリンク接続のみを中断させて、ＡＣＬリンク接続を保持する図１５（Ｂ）で示す制御ステップ（ａ）に置換することと、上記図１３（Ｂ）で示す制御ステップ（ｅ）を省略することにより機器本体同士を介した音声通話モードへ移行することができる。
【０１３９】
したがって、この場合も、この第３の制御シーケンスにより第２ＢＴ搭載機器１１Ｂの第２ＢＴユニット１３ｄのスキャッタネット内に第１，第２両ＢＴ搭載機器１１Ａ，１１Ｂの両携帯電話器２ｄ，２ｅを入れるので、これら携帯電話器２ｄ，２ｅは着信信号を受信することができる。
【０１４０】
また、図１６（Ａ）で示すように第１，第２両ＢＴ搭載機器１１Ａ，１１Ｂが共にそれぞれ通話状態、例えば通話者１と通話者２がこれらの各通話装置２ａと、２ｂまたは２ｃとによりそれぞれ音声通話状態である第４モードを、機器本体同士を介した音声通話モードに移行させる場合は、図１４（Ｂ）で示す制御ステップ（ｅ）を削除した第３の制御シーケンスにより実現させることができる。
【０１４１】
これにより、この第４モードの場合も、この第３の制御シーケンスにより第２ＢＴ搭載機器１１Ｂの第２ＢＴユニット１３ｄのスキャッタネット内に第１，第２両ＢＴ搭載機器１１Ａ，１１Ｂの携帯電話器２ｄ，２ｅを入れるので、これら携帯電話器２ｄ，２ｅは着信信号を受信することができる。
【０１４２】
図１７（Ａ）はこのようにして第１，第２両ＢＴ搭載機器１１Ａ，１１Ｂの通話者１同士がその各通話装置２ａ，２ａにより機器本体同士を介した音声通話しているモードを示している。図１７（Ｂ）はこの機器本体同士を介した音声通話モードから一方のＢＴ搭載機器、例えば１１Ａにおいて通話者１と通話者２がそれらの各通話装置２ａ，２ｂまたは２ｃにより音声通話するモードへ移行させる場合の第３の制御シーケンスを示している。
【０１４３】
（ａ）すなわち、この場合は、まず第１ＢＴ搭載機器１１Ａの第１ホストコントローラ１７ａにより第２ＢＴユニット１３ｂを制御することにより、これからＡＣＬリンクおよびＳＣＯリンクの接続切断要求信号を第２ＢＴ搭載機器１１Ｂの第２ＢＴユニット１３ｄに送信させる。
【０１４４】
このＡＣＬリンクおよびＳＣＯリンク接続切断要求信号を第２ＢＴ搭載機器１１Ｂの第２ＢＴユニット１３ｄが受信すると、その受信を検出した第２ホストコントローラ１７ｂにより第２ＢＴ搭載機器１１Ｂの第２ＢＴユニット１３ｄを制御して第１ＢＴ搭載機器１１Ａの第２ＢＴユニット１３ｂとのＡＣＬリンクおよびＳＣＯリンクの接続を切断し、その切断後、第２ＢＴ搭載機器１１Ｂの第２ＢＴユニット１３ｄをマスタとスレーブとが交互に機能するスキャッタネットを解消させると共に、マスタに設定する。
【０１４５】
（ｂ）次に、第２ホストコントローラ１７ｂは第２ＢＴ搭載機器１１Ｂの第１ＢＴユニット１３ｃを制御して、この第１ＢＴユニット１３ｃと通話者１の通話装置２ａとのＳＣＯリンクのみを切断してＡＣＬリンク接続のみを継続させている。
【０１４６】
（ｃ）一方、第１ＢＴ搭載機器１１Ａでは、第２ＢＴユニット１３ｂから上記ＡＣＬリンクおよびＳＣＯリンク接続切断要求信号を送信させてから第１ホストコントローラ１７ａは第２ＢＴユニット１３ｂを制御することにより、この第２ＢＴユニット１３ｂとＡＣＬリンクにより接続されている通話者２の通話装置２ｂまたは２ｃとにＳＣＯリンクを張り、ＳＣＯリンク接続を確立させる。
【０１４７】
これにより、第１ＢＴ搭載機器１１Ａの通話者１と通話者２とはそれらの通話装置２ａ，２ｂまたは２ｃを介して音声通話することができる。
【０１４８】
図１８はその（Ａ）で示す機器本体同士を介した音声通話モードから同（Ｂ）で示す携帯電話器着信モードへ第３の制御シーケンスにより移行させる制御シーケンスを示している。
【０１４９】
この図１８（Ｂ）で示す第３の制御シーケンスは、上記図１７（Ｂ）で示す第３の制御シーケンスとは、その移行先モードが通話者２通話モードから携帯電話器発信，着信モードに変更されている点に相違がある。
【０１５０】
したがって、図１８（Ｂ）で示す第３のシーケンスは上記図１７（Ｂ）で示す第３の制御シーケンスとは、その（ａ），（ｂ）の制御ステップが共通し、（ｃ）の制御ステップで相違する。
【０１５１】
すなわち、その（ｃ）において第１ＢＴ搭載機器１１Ａの第２ＢＴユニット１３ｂをＡＣＬリンクとＳＣＯリンクとにより接続する先を通話者２の通話装置２ｂ，２ｃから携帯電話器２ｄ，２ｅに変更した点で相違する。
【０１５２】
これにより、機器本体同士を介した音声通話モードから、例えば第１ＢＴ搭載機器１１Ａにおける携帯電話器２ｄまたは２ｅと通話者１の通話装置２ａとの音声通話モードに移行することができる。
【０１５３】
図１９〜図２４の各（Ｂ）は上記第４の制御シーケンスにより上記４モード等の２台のＢＴ搭載機器１１Ａ，１１Ｂを機器本体同士を介した音声通話モード等に移行させる制御シーケンスをそれぞれ示す機能ブロック図である。
【０１５４】
すなわち、この第４の制御シーケンスは図１９〜図２４に示すように各ＢＴ搭載機器１１Ａ〜１１Ｎに、ＢＴ搭載機器間接続用ＢＴユニット１３ｅをそれぞれ設けた点に特徴がある。この接続用ＢＴユニット１３ｅは上記第１，第２ＢＴユニット１３ａ〜１３ｄと同様に構成され、ホストコントローラ１７により制御されるようになっている。例えば、各第１ＢＴユニット１３ａ，１３ｃを各第２ＢＴユニット１３ｂ，１３ｄに接続する上記フォワード伝送路の接続先を必要に応じて接続用ＢＴユニット１３ｅに切り替えて各第１ＢＴユニット１３ａ，１３ｃを各フォワード経路を介して各接続用ＢＴユニット１３ｅに接続することができる。但し、各接続用ＢＴユニット１３ｅは複数のＢＴ搭載機器１１Ａ〜１１Ｎ同士を無線接続するためのＢＴユニットであるので、ヘッドセットや携帯電話器２ｄ，２ｅ等の通話装置２ａ〜２ｃには無線接続されない。
【０１５５】
なお、図１９〜図２４では第１ＢＴ搭載機器１１Ａと第２ＢＴ搭載機器１１Ｂとにそれぞれ設けた接続用ＢＴユニット１３ｅを区別するために、ここ以下では第１ＢＴ搭載機器１１Ａに設けた接続用ＢＴユニット１３ｅを第１接続用ＢＴユニット１３ｅと称し、第２ＢＴ搭載機器１１Ｂに設けた接続用ＢＴユニット１３ｅを第２接続用ＢＴユニット１３ｆとそれぞれ称する。
【０１５６】
図１９（Ａ）に示すように、第１，第２両ＢＴ搭載機器１１Ａ，１１Ｂが共にスタンバイ状態であるときに、これを上記第４の制御シーケンスにより上記機器本体同士を介した音声通話モードに移行する場合の制御シーケンスの一例を図１９（Ｂ）に示している。
【０１５７】
（ａ）この場合、まず機器本体同士を介した音声通話要求を行う通話者１の通話装置２ａを有する第１ＢＴ搭載機器１１Ａでは、その第１ホストコントローラ１７ａにより第１接続用ＢＴユニット１３ｅをマスタに設定してヘッドセット・プロファイル（ＨＳ）をＡＧモードで動作させてからこの第１接続用ＢＴユニット１３ｅよりＡＣＬリンクとＳＣＯリンク接続要求信号を第２ＢＴ搭載機器１１Ｂへ送信させる。
【０１５８】
一方、第１ホストコントローラ１７ａは切替スイッチ２２を切断制御して、これまでに第１ＢＴユニット１３ａを第２ＢＴユニット１３ｂに接続していたフォワード伝送路の接続先を第２ＢＴユニット１３ｂから第１接続用ＢＴユニット１３ｅに切り替えることにより第１ＢＴユニット１３ａに第１接続用ＢＴユニット１３ｅを接続する。
【０１５９】
（ｂ）一方、第２ＢＴ搭載機器１１Ｂでは、その第２ホストコントローラ１７ｂにより第２接続用ＢＴユニット１３ｆをスレーブに設定してヘッドセット・プロファイル（ＨＳ）をヘッドセット（ＨＳ）モードで動作させている。これにより、上記第１ＢＴ搭載機器１１Ａの第１接続用ＢＴユニット１３ｅから上記ＡＣＬリンクおよびＳＣＯリンク接続要求信号を第２ＢＴ搭載機器１１Ｂの第２接続用ＢＴユニット１３ｆにより受信させ、その受信したことを第２ホストコントローラ１７ｂにより検出し、第２ＢＴ搭載機器１１Ｂ、もしくは、通話装置２ａ、２ｂに接続要求の通知を行う。さらに、この第２ホストコントローラ１７ｂによりこの受信側の第２接続用ＢＴユニット１３ｆを制御してこれら第１，第２両接続用ＢＴユニット１３ｅ，１３ｆ同士をＡＣＬリンクおよびＳＣＯリンクにより接続させ、その接続を確立させる。
【０１６０】
また、第２ホストコントローラ１７ｂは上記ＡＣＬリンクおよびＳＣＯリンク接続要求信号を受信後、この第２ＢＴ搭載機器１１Ｂの第２接続用ＢＴユニット１３ｆを上記フォワード伝送路を介して第１ＢＴユニット１３ｃに接続するように切替スイッチ２２を切替制御する。
【０１６１】
この後、この第１ＢＴユニット１３ｃに通話者１の通話装置２ａをＳＣＯリンクにより接続させる。
【０１６２】
（ｃ）一方、第１ＢＴ搭載機器１１Ａでは、上記（ａ）制御の次に第１ホストコントローラ１７ａにより第１ＢＴユニット１３ａを制御することにより、これに通話者１の通話装置２１をＳＣＯリンクにより接続させ、その接続を確立させる。
【０１６３】
これにより、第１，第２ＢＴ搭載機器１１Ａ，１１Ｂ同士がＳＣＯリンクにより接続されると共に、これら第１，第２ＢＴ搭載機器１１Ａ，１１Ｂの両通話者１の通話装置２ａ，２ａ同士がＳＣＯリンクにより無線接続されるので、これら通話者１はその通話装置２ａ，２ａを介して機器本体同士を介した音声通話をすることができる。
【０１６４】
また、この第４の制御シーケンスによれば、第１，第２ＢＴ搭載機器１１Ａ，１１Ｂのスタンバイ状態から機器本体同士を介した音声通話モードへ移行し、機器本体同士を介した音声通話中においても常時第１，第２両ＢＴ搭載機器１１Ａ，１１Ｂの各携帯電話器２ｄ，２ｅがマスタの各第２ＢＴユニット１３ｂ，１３ｄにＡＣＬリンクにより接続されているので、各携帯電話器２ｄ，２ｅは常時着信信号を受信することができる。
【０１６５】
図２０（Ａ）は第１ＢＴ搭載機器１１Ａがスタンバイ状態であって、第２ＢＴ搭載機器１１Ｂが通話状態、例えば通話者１と通話者２がこれら各通話装置２ａと２ｂまたは２ｃにより通話中である上記第２モードを示している。
【０１６６】
図２０（Ｂ）はこの第２モードの第１，第２ＢＴ搭載機器１１Ａ，１１Ｂを上記第４の制御シーケンスにより機器本体同士を介した音声通話モードに移行させる制御シーケンスを示している。
【０１６７】
（ａ）すなわち、この第２モードの場合は上記図１９（Ｂ）で示す第１モードの制御ステップ（ａ）と同様に、機器本体同士を介した音声通話要求を行う通話者１の通話装置２ａを有する第１ＢＴ搭載機器１１Ａでは、その第１ホストコントローラ１７ａにより第１接続用ＢＴユニット１３ｅをマスタに設定してヘッドセット・プロファイル（ＨＳ）をＡＧモードで動作させてからこの第１接続用ＢＴユニット１３ｅよりＡＣＬリンクとＳＣＯリンク接続要求信号を第２ＢＴ搭載機器１１Ｂへ送信させる。
【０１６８】
一方、第１ホストコントローラ１７ａは切替スイッチ２２を切断制御して、これまでに第１ＢＴユニット１３ａを第２ＢＴユニット１３ｂに接続していたフォワード伝送路の接続先を第２ＢＴユニット１３ｂから第１接続用ＢＴユニット１３ｅに切り替えることにより第１ＢＴユニット１３ａに第１接続用ＢＴユニット１３ｅを接続する。
【０１６９】
（ｂ）一方、第２ＢＴ搭載機器１１Ｂでは、その第２ホストコントローラ１７ｂにより第２接続用ＢＴユニット１３ｆをスレーブに設定してヘッドセット・プロファイル（ＨＳ）をヘッドセット（ＨＳ）モードで動作させている。これにより、上記第１ＢＴ搭載機器１１Ａの第１接続用ＢＴユニット１３ｅから上記ＡＣＬリンクおよびＳＣＯリンク接続要求信号を第２ＢＴ搭載機器１１Ｂの第２接続用ＢＴユニット１３ｆにより受信させ、その受信したことを第２ホストコントローラ１７ｂにより検出し、第２ＢＴ搭載機器１１Ｂ、もしくは、通話装置２ａ、２ｂに接続要求の通知を行う。さらに、この第２ホストコントローラ１７ｂによりこの受信側の第２接続用ＢＴユニット１３ｆを制御してこれら第１，第２両接続用ＢＴユニット１３ｅ，１３ｆ同士をＡＣＬリンクおよびＳＣＯリンクにより接続させ、その接続を確立させる。
【０１７０】
また、第２ホストコントローラ１７ｂは上記ＡＣＬリンクおよびＳＣＯリンク接続要求信号を受信後、マスタの第２ＢＴユニット１３ｄと通話者２の通話装置２ｂ，２ｃとのＳＣＯリンク接続とを切断してＡＣＬリンクのみの接続を保持する一方、この第２ＢＴ搭載機器１１Ｂの第２接続用ＢＴユニット１３ｆを上記フォワード伝送路を介して第１ＢＴユニット１３ｃに接続するように切替スイッチ２２を切替制御する。
【０１７１】
この後、この第１ＢＴユニット１３ｃに通話者１の通話装置２ａをＳＣＯリンクにより接続させる。
【０１７２】
（ｃ）一方、第１ＢＴ搭載機器１１Ａでは、上記（ａ）制御の次に第１ホストコントローラ１７ａにより第１ＢＴユニット１３ａを制御することにより、これに通話者１の通話装置２１をＳＣＯリンクにより接続させ、その接続を確立させる。
【０１７３】
これにより、第１，第２ＢＴ搭載機器１１Ａ，１１Ｂ同士がＳＣＯリンクにより接続されると共に、これら第１，第２ＢＴ搭載機器１１Ａ，１１Ｂの両通話者１の通話装置２ａ，２ａ同士がＳＣＯリンクにより無線接続されるので、これら通話者１はその通話装置２ａ，２ａを介して機器本体同士を介した音声通話をすることができる。
【０１７４】
また、この第４の制御シーケンスによれば、第１，第２ＢＴ搭載機器１１Ａ，１１Ｂのスタンバイ状態から機器本体同士を介した音声通話モードへ移行し、機器本体同士を介した音声通話中においても常時第１，第２両ＢＴ搭載機器１１Ａ，１１Ｂの各携帯電話器２ｄ，２ｅがマスタの各第２ＢＴユニット１３ｂ，１３ｄにＡＣＬリンクにより接続されているので、各携帯電話器２ｄ，２ｅは常時着信信号を受信することができる。
【０１７５】
図２１（Ａ）は第１ＢＴ搭載機器１１Ａが通話中、例えば通話者１と通話者２の各通話装置２ａと２ｂまたは２ｃが通話中であって、第２ＢＴ搭載機器１１Ｂがスタンバイ状態である第３モードを示している。
【０１７６】
図２１（Ｂ）はこの第３モードの第１，第２ＢＴ搭載機器１１Ａ，１１Ｂを上記第４の制御シーケンスにより機器本体同士を介した音声通話モードに移行させる制御シーケンスを示している。
【０１７７】
（ａ）すなわち、この場合、まず機器本体同士を介した音声通話要求を行う通話者１の通話装置２ａを有する第１ＢＴ搭載機器１１Ａでは、その第１ホストコントローラ１７ａによりマスタの第２ＢＴユニット１３ｂを制御し、これと、これまでに既に接続されていた通話者２の通話装置２ｂ，２ｃとのＳＣＯリンクのみを切断してＡＣＬリンクのみを保持させる。
【０１７８】
（ｂ）次に、第１ホストコントローラ１７ａにより第１接続用ＢＴユニット１３ｅをマスタに設定してヘッドセット・プロファイル（ＨＳ）をＡＧモードで動作させてからこの第１接続用ＢＴユニット１３ｅよりＡＣＬリンクとＳＣＯリンク接続要求信号を第２ＢＴ搭載機器１１Ｂへ送信させる。
【０１７９】
一方、第１ホストコントローラ１７ａは切替スイッチ２２を切断制御して、これまでに第１ＢＴユニット１３ａを第２ＢＴユニット１３ｂに接続していたフォワード伝送路の接続先を第２ＢＴユニット１３ｂから第１接続用ＢＴユニット１３ｅに切り替えることにより第１ＢＴユニット１３ａに第１接続用ＢＴユニット１３ｅを接続する。
【０１８０】
（ｃ）一方、第２ＢＴ搭載機器１１Ｂでは、その第２ホストコントローラ１７ｂにより第２接続用ＢＴユニット１３ｆをスレーブに設定してヘッドセット・プロファイル（ＨＳ）をヘッドセット（ＨＳ）モードで動作させている。これにより、上記第１ＢＴ搭載機器１１Ａの第１接続用ＢＴユニット１３ｅから上記ＡＣＬリンクおよびＳＣＯリンク接続要求信号を第２ＢＴ搭載機器１１Ｂの第２接続用ＢＴユニット１３ｆにより受信させ、その受信したことを第２ホストコントローラ１７ｂにより検出し、第２ＢＴ搭載機器１１Ｂ、もしくは、通話装置２ａ、２ｂに接続要求の通知を行う。さらに、この第２ホストコントローラ１７ｂによりこの受信側の第２接続用ＢＴユニット１３ｆを制御してこれら第１，第２両接続用ＢＴユニット１３ｅ，１３ｆ同士をＡＣＬリンクおよびＳＣＯリンクにより接続させ、その接続を確立させる。
【０１８１】
また、第２ホストコントローラ１７ｂは上記ＡＣＬリンクおよびＳＣＯリンク接続要求信号を受信後、この第２ＢＴ搭載機器１１Ｂの第２接続用ＢＴユニット１３ｆを上記フォワード伝送路を介して第１ＢＴユニット１３ｃに接続するように切替スイッチ２２を切替制御する。
【０１８２】
この後、この第１ＢＴユニット１３ｃを制御して、これに通話者１の通話装置２ａをＳＣＯリンクにより接続させる。一方、このとき、第１ＢＴ搭載機器１１Ａでは、そのマスタの第１ＢＴユニット１３ａには既に通話者１の通話装置２ａがＡＣＬリンクとＳＣＯリンクとにより接続されている。
【０１８３】
これにより、第１，第２ＢＴ搭載機器１１Ａ，１１Ｂ同士がＳＣＯリンクにより接続されると共に、これら第１，第２ＢＴ搭載機器１１Ａ，１１Ｂの両通話者１の通話装置２ａ，２ａ同士がＳＣＯリンクにより無線接続されるので、これら通話者１はその通話装置２ａ，２ａを介して機器本体同士を介した音声通話をすることができる。
【０１８４】
また、この第４の制御シーケンスによれば、第１，第２ＢＴ搭載機器１１Ａ，１１Ｂのスタンバイ状態から機器本体同士を介した音声通話モードへ移行し、機器本体同士を介した音声通話中においても常時第１，第２両ＢＴ搭載機器１１Ａ，１１Ｂの各携帯電話器２ｄ，２ｅがマスタの各第２ＢＴユニット１３ｂ，１３ｄにＡＣＬリンクにより接続されているので、各携帯電話器２ｄ，２ｅは常時着信信号を受信することができる。
【０１８５】
図２２（Ａ）は第１，第２両ＢＴ搭載機器１１Ａ，１１Ｂが共に通話中、例えば共に通話者１と通話者２の各通話装置２ａと２ｂまたは２ｃがそれぞれ通話中である第４モードを示している。
【０１８６】
図２２（Ｂ）はこの第４モードの第１，第２ＢＴ搭載機器１１Ａ，１１Ｂを上記第４の制御シーケンスにより機器本体同士を介した音声通話モードに移行させる制御シーケンスを示している。
【０１８７】
（ａ）すなわち、この場合、まず機器本体同士を介した音声通話要求を行う通話者１の通話装置２ａを有する第１ＢＴ搭載機器１１Ａでは、その第１ホストコントローラ１７ａによりマスタの第２ＢＴユニット１３ｂを制御し、これと、これまでに既に接続されていた通話者２の通話装置２ｂ，２ｃとのＳＣＯリンクのみを切断してＡＣＬリンクのみを保持させる。
【０１８８】
（ｂ）次に、第１ホストコントローラ１７ａにより第１接続用ＢＴユニット１３ｅをマスタに設定してヘッドセット・プロファイル（ＨＳ）をＡＧモードで動作させてからこの第１接続用ＢＴユニット１３ｅよりＡＣＬリンクとＳＣＯリンク接続要求信号を第２ＢＴ搭載機器１１Ｂへ送信させる。
【０１８９】
一方、第１ホストコントローラ１７ａは切替スイッチ２２を切断制御して、これまでに第１ＢＴユニット１３ａを第２ＢＴユニット１３ｂに接続していたフォワード伝送路の接続先を第２ＢＴユニット１３ｂから第１接続用ＢＴユニット１３ｅに切り替えることにより第１ＢＴユニット１３ａに第１接続用ＢＴユニット１３ｅを接続する。
【０１９０】
（ｃ）一方、第２ＢＴ搭載機器１１Ｂでは、その第２ホストコントローラ１７ｂにより第２接続用ＢＴユニット１３ｆを制御してスレーブに設定してヘッドセット・プロファイル（ＨＳ）をヘッドセット（ＨＳ）モードで動作させている。これにより、上記第１ＢＴ搭載機器１１Ａの第１接続用ＢＴユニット１３ｅから上記ＡＣＬリンクおよびＳＣＯリンク接続要求信号を第２ＢＴ搭載機器１１Ｂの第２接続用ＢＴユニット１３ｆにより受信させ、その受信したことを第２ホストコントローラ１７ｂにより検出し、第２ＢＴ搭載機器１１Ｂ、もしくは、通話装置２ａ、２ｂに接続要求の通知を行う。さらに、この第２ホストコントローラ１７ｂによりこの受信側の第２接続用ＢＴユニット１３ｆを制御してこれら第１，第２両接続用ＢＴユニット１３ｅ，１３ｆ同士をＡＣＬリンクおよびＳＣＯリンクにより接続させ、その接続を確立させる。
【０１９１】
また、第２ホストコントローラ１７ｂは上記ＡＣＬリンクおよびＳＣＯリンク接続要求信号を受信後、この第２ＢＴ搭載機器１１Ｂの第２接続用ＢＴユニット１３ｆを上記フォワード伝送路を介して第１ＢＴユニット１３ｃに接続するように切替スイッチ２２を切替制御する。
【０１９２】
この後、この第１ＢＴユニット１３ｃに通話者１の通話装置２ａをＳＣＯリンクにより接続させる。一方、このとき、第１ＢＴ搭載機器１１Ａでは、そのマスタの第１ＢＴユニット１３ａには既に通話者１の通話装置２ａがＡＣＬリンクとＳＣＯリンクとにより接続されている。
【０１９３】
これにより、第１，第２ＢＴ搭載機器１１Ａ，１１Ｂ同士がＳＣＯリンクにより接続されると共に、これら第１，第２ＢＴ搭載機器１１Ａ，１１Ｂの両通話者１の通話装置２ａ，２ａ同士がＳＣＯリンクにより無線接続されるので、これら通話者１はその通話装置２ａ，２ａを介して機器本体同士を介した音声通話をすることができる。
【０１９４】
また、この第４の制御シーケンスによれば、第１，第２ＢＴ搭載機器１１Ａ，１１Ｂのスタンバイ状態から機器本体同士を介した音声通話モードへ移行し、機器本体同士を介した音声通話中においても常時第１，第２両ＢＴ搭載機器１１Ａ，１１Ｂの各携帯電話器２ｄ，２ｅがマスタの各第２ＢＴユニット１３ｂ，１３ｄにＡＣＬリンクにより接続されているので、各携帯電話器２ｄ，２ｅは常時着信信号を受信することができる。
【０１９５】
図２３（Ａ）はこのようにして第１，第２両ＢＴ搭載機器１１Ａ，１１Ｂにつながる通話者１同士がその各通話装置２ａ，２ａにより機器本体同士を介した音声通話しているモードを示している。図２３（Ｂ）は上記機器本体同士を介した音声通話モードを一方のＢＴ搭載機器、例えば１１Ａにおいて通話者１と通話者２がそれらの各通話装置２ａ，２ｂまたは２ｃにより音声通話するモードへ移行させる場合の第４の制御シーケンスを示している。
【０１９６】
（ａ）すなわち、この場合、まず通話者２音声通話要求を行う通話者１の通話装置２ａを有する第１ＢＴ搭載機器１１Ａでは、その第１ホストコントローラ１７ａによりマスタの第２ＢＴユニット１３ｂを制御し、これと、これまでに既に接続されていた通話者２の通話装置２ｂ，２ｃとのＡＣＬリンクをそのまま保持させる。
【０１９７】
（ｂ）次に、第１ホストコントローラ１７ａにより第１接続用ＢＴユニット１３ｅからＡＣＬリンクとＳＣＯリンク切断要求信号を第２ＢＴ搭載機器１１Ｂへ送信させる。
【０１９８】
一方、第１ホストコントローラ１７ａは切替スイッチ２２を切断制御して、これまでに第１ＢＴユニット１３ａを第１接続用ＢＴユニット１３ｅに接続していたフォワード伝送路の接続先を第１接続用ＢＴユニット１３ｅから第２ＢＴユニット１３ｂに切り替えることにより第１ＢＴユニット１３ａに第２ＢＴユニット１３ｂを接続する。
【０１９９】
（ｂ）一方、第２ＢＴ搭載機器１１Ｂでは、その第２ホストコントローラ１７ｂにより第２接続用ＢＴユニット１３ｆをスレーブに設定してヘッドセット・プロファイル（ＨＳ）をヘッドセット（ＨＳ）モードで動作させている。これにより、上記第１ＢＴ搭載機器１１Ａの第１接続用ＢＴユニット１３ｅから上記ＡＣＬリンクおよびＳＣＯリンク切断要求信号を第２ＢＴ搭載機器１１Ｂの第２接続用ＢＴユニット１３ｆにより受信させ、その受信したことを第２ホストコントローラ１７ｂにより検出すると、この第２ホストコントローラ１７ｂによりこの受信側の第２接続用ＢＴユニット１３ｆを制御してこれら第１，第２両接続用ＢＴユニット１３ｅ，１３ｆ同士のＡＣＬリンクおよびＳＣＯリンクの接続を切断する。
【０２００】
また、第２ホストコントローラ１７ｂは上記ＡＣＬリンクおよびＳＣＯリンク切断要求信号を受信後、この第２ＢＴ搭載機器１１Ｂの第２ＢＴユニット１３ｄを上記フォワード伝送路を介して第１ＢＴユニット１３ｃに接続するように切替スイッチ２２を切替制御する。
【０２０１】
（ｃ）一方、第１ＢＴ搭載機器１１Ａでは、上記（ａ）制御の次に第１ホストコントローラ１７ａにより第２ＢＴユニット１３ｂを制御することにより、これに通話者２の通話装置２ｂまたは２ｃをＳＣＯリンクにより接続させ、その接続を確立させる。
【０２０２】
これにより、第１ＢＴ搭載機器１１Ａにおける通話者１と通話者２の各通話装置２ａ，２ｂ，２ｃが第１，第２ＢＴユニット１３ａ，１３ｂを介してＳＣＯリンクにより音声通話可能に接続されたので、第１ＢＴ搭載機器１１Ａの通話者１と通話者２が各通話装置２ａ，２ｂ，２ｃを介して音声通話することができる。
【０２０３】
図２４（Ａ）は上述した図２３（Ａ）と同様に、第１，第２ＢＴ搭載機器１１Ａ，１１Ｂにつながる通話者１同士がその通話装置２ａ，２ａにより機器本体同士を介した音声通話をしているモードを示している。図２４（Ｂ）はこの機器本体同士を介した音声通話モードから携帯電話器２ｄ，２ｅによる発信，着信信号受信可能かつ音声通話可能モードに移行させる場合の第４の制御シーケンスを示している。
【０２０４】
すなわち、この場合の制御ステップ（ａ），（ｂ）は上記図２３（Ｂ）で示す制御ステップ（ａ），（ｂ）と同一であるので、図２４中、同一符号（ａ），（ｂ）を付してその重複した説明を省略している。
【０２０５】
（ｃ）上記制御ステップ（ｂ）の次に、第１ＢＴ搭載機器１１Ａでは、第１ホストコントローラ１７ａにより第２ＢＴユニット１３ｂを制御することにより、これと携帯電話器２ｄ，２ｅとをＳＣＯリンクにより接続する。
【０２０６】
これにより、第１ＢＴ搭載機器１１Ａにおける通話者１の通話装置２ａと携帯電話器２ｄ，２ｅとが第１ＢＴユニット１３ａ，１３ｂを介してＳＣＯリンクにより音声通話可能に接続されたので、第１ＢＴ搭載機器１１Ａの通話者１の通話装置２ａと携帯電話器２ｄ，２ｅとにより発信，着信，及び通話を行うことができる。
【０２０７】
なお、上記実施形態では、例えば２台の第１，第２ＢＴ搭載機器１１Ａ，１１Ｂ間で各々の通話者１，２同士が音声通話する場合について説明したが、本発明はこれら第１，第２ＢＴ搭載機器１１Ａ，１１Ｂを、例えば２台の自動車や自動二輪車等の車両にそれぞれ搭載し、これら車両間で各々の第１，第２ＢＴ搭載機器１１Ａ，１１Ｂを介して各々の通話者１，２により音声通話するように構成してもよい。
【０２０８】
【発明の効果】
以上説明したように、本発明によれば、複数の通話装置を備えたＢＴ搭載機器等の機器本体に、これら複数の機器本体間で音声通話させる音声通信手段をそれぞれ設けたので、これら各機器本体の複数の通話装置同士によりそれぞれ音声通話することができるうえに、これら複数の機器本体間で音声通話することができる。
【図面の簡単な説明】
【図１】本発明の第１実施形態に係る音声通話システムの一部の機能ブロック図。
【図２】（Ａ）は図１で示す音声通話システムの一部を具備した第１実施形態の第１モードを示す機能ブロック図、（Ｂ）は同（Ａ）の第１モードを機器本体同士を介した音声通話モードへ移行させるための第１の制御シーケンスを示す複数のＢＴ搭載機器の機能ブロック図。
【図３】（Ａ）は図１で示す音声通話システムの一部を具備した第１実施形態の第２モードを示す機能ブロック図、（Ｂ）は同（Ａ）の第２モードを機器本体同士を介した音声通話モードへ移行させるための第１の制御シーケンスを示す複数のＢＴ搭載機器の機能ブロック図。
【図４】（Ａ）は図１で示す音声通話システムの一部を具備した第１実施形態の第３モードを示す機能ブロック図、（Ｂ）は同（Ａ）の第３モードを機器本体同士を介した音声通話モードへ移行させるための第１の制御シーケンスを示す複数のＢＴ搭載機器の機能ブロック図。
【図５】（Ａ）は図１で示す音声通話システムの一部を具備した第１実施形態の第４モードを示す機能ブロック図、（Ｂ）は同（Ａ）の第４モードを機器本体同士を介した音声通話モードへ移行させるための第１の制御シーケンスを示す複数のＢＴ搭載機器の機能ブロック図。
【図６】（Ａ）は図１で示す音声通話システムの一部を具備した第１実施形態の機器本体同士を介した音声通話モードを示す機能ブロック図、（Ｂ）は同（Ａ）の機器本体同士を介した音声通話モードを通話者２音声通話モードへ移行させるための第１の制御シーケンスを示す複数のＢＴ搭載機器の機能ブロック図。
【図７】（Ａ）は図１で示す音声通話システムの一部を具備した第２実施形態の第１モードを示す機能ブロック図、（Ｂ）は同（Ａ）の第１モードを機器本体同士を介した音声通話モードへ移行させるための第２の制御シーケンスを示す複数のＢＴ搭載機器の機能ブロック図。
【図８】（Ａ）は図１で示す音声通話システムの一部を具備した第２実施形態の第２モードを示す機能ブロック図、（Ｂ）は同（Ａ）の第２モードを機器本体同士を介した音声通話モードへ移行させるための第２の制御シーケンスを示す複数のＢＴ搭載機器の機能ブロック図。
【図９】（Ａ）は図１で示す音声通話システムの一部を具備した第２実施形態の携帯電話器から着信信号を受信したときのモードを示す機能ブロック図、（Ｂ）はその携帯電話器から着信信号を受信後、この携帯電話器を介して通話者が音声通話するモードへ移行するための第２の制御シーケンスを示す機能ブロック図。
【図１０】（Ａ）は図１で示す音声通話システムの一部を具備した第２実施形態の第３モードを示す機能ブロック図、（Ｂ）は同（Ａ）の第３モードを機器本体同士を介した音声通話モードへ移行させるための第２の制御シーケンスを示す複数のＢＴ搭載機器の機能ブロック図。
【図１１】（Ａ）は図１で示す音声通話システムの一部を具備した第２実施形態の第４モードを示す機能ブロック図、（Ｂ）は同（Ａ）の第４モードを機器本体同士を介した音声通話モードへ移行させるための第２の制御シーケンスを示す複数のＢＴ搭載機器の機能ブロック図。
【図１２】（Ａ）は図１で示す音声通話システムの一部を具備した第２実施形態の機器本体同士を介した音声通話モードを示す機能ブロック図、（Ｂ）は同（Ａ）の機器本体同士を介した音声通話モードを通話者２音声通話モードへ移行させるための第２の制御シーケンスを示す複数のＢＴ搭載機器の機能ブロック図。
【図１３】（Ａ）は図１で示す音声通話システムの一部を具備した第２実施形態の機器本体同士を介した音声通話モードを示す機能ブロック図、（Ｂ）は同（Ａ）の機器本体同士を介した音声通話モードを携帯電話器着信モードへ移行させるための第２の制御シーケンスを示す複数のＢＴ搭載機器の機能ブロック図。
【図１４】（Ａ）は図１で示す音声通話システムの一部を具備した第３実施形態の第１モードを示す機能ブロック図、（Ｂ）は同（Ａ）の第１モードを機器本体同士を介した音声通話モードへ移行させるための第３の制御シーケンスを示す複数のＢＴ搭載機器の機能ブロック図。
【図１５】（Ａ）は図１で示す音声通話システムの一部を具備した第３実施形態の第２モードを示す機能ブロック図、（Ｂ）は同（Ａ）の第２モードを機器本体同士を介した音声通話モードへ移行させるための第３の制御シーケンスを示す複数のＢＴ搭載機器の機能ブロック図。
【図１６】（Ａ）は図１で示す音声通話システムの一部を具備した第３実施形態の第３モードを示す機能ブロック図、（Ｂ）は同（Ａ）の第３モードを機器本体同士を介した音声通話モードへ移行させるための第３の制御シーケンスを示す複数のＢＴ搭載機器の機能ブロック図。
【図１７】（Ａ）は図１で示す音声通話システムの一部を具備した第３実施形態の第４モードを示す機能ブロック図、（Ｂ）は同（Ａ）の第４モードを機器本体同士を介した音声通話モードへ移行させるための第３の制御シーケンスを示す複数のＢＴ搭載機器の機能ブロック図。
【図１８】（Ａ）は図１で示す音声通話システムの一部を具備した第３実施形態の機器本体同士を介した音声通話モードを示す機能ブロック図、（Ｂ）は同（Ａ）の機器本体同士を介した音声通話モードを通話者２音声通話モードへ移行させるための第３の制御シーケンスを示す複数のＢＴ搭載機器の機能ブロック図。
【図１９】（Ａ）は図１で示す音声通話システムの一部を具備した第３実施形態の機器本体同士を介した音声通話モードを示す機能ブロック図、（Ｂ）は同（Ａ）の機器本体同士を介した音声通話モードを携帯電話器着信モードへ移行させるための第３の制御シーケンスを示す複数のＢＴ搭載機器の機能ブロック図。
【図２０】（Ａ）は図１で示す音声通話システムの一部を具備した第４実施形態の第１モードを示す機能ブロック図、（Ｂ）は同（Ａ）の第１モードを機器本体同士を介した音声通話モードへ移行させるための第４の制御シーケンスを示す複数のＢＴ搭載機器の機能ブロック図。
【図２１】（Ａ）は図１で示す音声通話システムの一部を具備した第４実施形態の第２モードを示す機能ブロック図、（Ｂ）は同（Ａ）の第２モードを機器本体同士を介した音声通話モードへ移行させるための第４の制御シーケンスを示す複数のＢＴ搭載機器の機能ブロック図。
【図２２】（Ａ）は図１で示す音声通話システムの一部を具備した第４実施形態の第３モードを示す機能ブロック図、（Ｂ）は同（Ａ）の第３モードを機器本体同士を介した音声通話モードへ移行させるための第４の制御シーケンスを示す複数のＢＴ搭載機器の機能ブロック図。
【図２３】（Ａ）は図１で示す音声通話システムの一部を具備した第４実施形態の第４モードを示す機能ブロック図、（Ｂ）は同（Ａ）の第４モードを機器本体同士を介した音声通話モードへ移行させるための第４の制御シーケンスを示す複数のＢＴ搭載機器の機能ブロック図。
【図２４】（Ａ）は図１で示す音声通話システムの一部を具備した第４実施形態の機器本体同士を介した音声通話モードを示す機能ブロック図、（Ｂ）は同（Ａ）の機器本体同士を介した音声通話モードを通話者２音声通話モードへ移行させるための第４の制御シーケンスを示す複数のＢＴ搭載機器の機能ブロック図。
【図２５】（Ａ）は図１で示す音声通話システムの一部を具備した第４実施形態の機器本体同士を介した音声通話モードを示す機能ブロック図、（Ｂ）は同（Ａ）の機器本体同士を介した音声通話モードを携帯電話器着信モードへ移行させるための第４の制御シーケンスを示す複数のＢＴ搭載機器の機能ブロック図。
【符号の説明】
１　音声通話システム
２ａ，２ｂ，２ｃ，２ｄ，２ｅ　通話装置
３　通話装置本体
４　通話装置本体のＢＴユニット
５　ＢＴアンテナ
１１Ａ〜１１Ｎ　ＢＴ搭載機器
１２　ＢＴ搭載機器の本体ケース
１３ａ，１３ｂ　ＢＴ搭載機器のＢＴユニット
１３ａ，１３ｃ　第１ＢＴユニット
１３ｂ，１３ｄ　第２ＢＴユニット
１３ｅ　第１接続用ＢＴユニット
１３ｆ　第２接続用ＢＴユニット
１４ａ，１４ｂ　ＢＴアンテナ
１７　ホストコントローラ
１７ａ　第１ホストコントローラ
１７ｂ　第２ホストコントローラ
２１　スイッチ操作部
２２　切替スイッチ
【図１】
2004120019.tif 000003
【図２】
2004120019.tif 000004
【図３】
2004120019.tif 000005
【図４】
2004120019.tif 000006
【図５】
2004120019.tif 000007
【図６】
2004120019.tif 000008
【図７】
2004120019.tif 000009
【図８】
2004120019.tif 000010
【図９】
2004120019.tif 000011
【図１０】
2004120019.tif 000012
【図１１】
2004120019.tif 000013
【図１２】
2004120019.tif 000014
【図１３】
2004120019.tif 000015
【図１４】
2004120019.tif 000016
【図１５】
2004120019.tif 000017
【図１６】
2004120019.tif 000018
【図１７】
2004120019.tif 000019
【図１８】
2004120019.tif 000020
【図１９】
2004120019.tif 000021
【図２０】
2004120019.tif 000022
【図２１】
2004120019.tif 000023
【図２２】
2004120019.tif 000024
【図２３】
2004120019.tif 000025
【図２４】
2004120019.tif 000026
【図２５】
2004120019.tif 000027